(57)【要約】本発明は、二等辺デルタ配列型ピクセルを有するＡＣ駆動面放電型プラズマディスプレイパネルに関し、誤書込み放電の発生を抑制するとともに、書込み電圧マージンを大きくすることを目的とする。本発明では、二等辺デルタ配列型ピクセル（Ｐ１）の第１及び第２ペアサブピクセル領域（ＰＳＰＲ１，ＰＳＰＲ２）内におけるＸ電極用透明電極（Ｔ３，Ｔ４）を、孤立サブピクセル領域（ＩＳＰＲ）の第１書込み電極（Ｗｊ（Ｂ））から、より遠方に離れた箇所に配設している。即ち、第３透明電極（Ｔ３）、ならびに、第４透明電極（Ｔ４）の垂直方向（ｖ）に沿った中心軸は、それぞれ、第１ペアサブピクセル領域（ＰＳＰＲ１）の垂直方向中心軸から、第２書込み電極（Ｗｊ（Ａ））の延在部側、ならびに、第２サブピクセル領域（ＰＳＰＲ２）の垂直方向中心軸から、第３書込み電極（Ｗｊ（Ｃ））の延在部（ＷＡＥ，ＷＣＥ）側に偏在せしめた。
2003088297.tif 000002
【特許請求の範囲】
【請求項１】
二等辺三角形の各頂点に位置する第１、第２及び第３サブピクセルより構成されるピクセルを有する面放電型プラズマディスプレイパネルであって、
垂直方向に延在する第１書込み電極と、前記第１書込み電極を挟んで前記垂直方向に互いに延在する第２及び第３書込み電極とを有する背面基板と、
前記背面基板と封着される周辺部と、表示面を成す外側表面と、前記背面基板の内側表面に対向する内側表面とを有する前面基板と、
前記背面基板の前記内側表面上に形成され、前記垂直方向と直交する水平方向に延在する第１水平隔壁と、
前記背面基板の前記内側表面上に形成され、前記第１水平隔壁を挟んで前記水平方向に延在する第２及び第３水平隔壁と、
前記背面基板の前記内側表面の内で前記第１書込み電極の直上に位置する部分上に形成され、前記垂直方向に延在しつつ前記第１及び第２水平隔壁を互いに連結する第１垂直隔壁と、
前記背面基板の前記内側表面上に形成され、前記第１垂直隔壁を挟んで前記垂直方向に延在すると共に、前記第１及び第２水平隔壁を互いに連結する第２及び第３垂直隔壁と、
前記背面基板の前記内側表面の内で前記第１書込み電極と前記第２書込み電極との間に位置する部分上に形成され、前記垂直方向に延在して前記第１及び第３水平隔壁を互いに連結する第４垂直隔壁と、
前記背面基板の前記内側表面の内で前記第１書込み電極と前記第３書込み電極との間に位置する部分上に形成され、前記垂直方向に延在して前記第１及び第３水平隔壁を互いに連結する第５垂直隔壁と、
前記前面基板の前記内側表面上に形成され、且つ、前記水平方向に延在して前記第１、第２及び第３書込み電極と立体交差する維持電極と、
前記前面基板の前記内側表面上に形成され、前記維持電極を挟んで前記水平方向に延在すると共に、前記第１、第２及び第３書込み電極と立体交差する第１及び第２走査電極と、
前記前面基板の前記内側表面上に形成されており、前記維持電極、前記第１走査電極及び前記第２走査電極を被覆すると共に、前記第１水平隔壁、前記第２水平隔壁、前記第３水平隔壁、前記第１垂直隔壁、前記第２垂直隔壁、前記第３垂直隔壁、前記第４垂直隔壁及び前記第５垂直隔壁のそれぞれの頂部と接触する表面を有する誘電体層とを備え、
前記第１書込み電極は、前記第４垂直隔壁の垂直方向中心軸と、前記第５垂直隔壁の垂直方向中心軸と、前記第１水平隔壁の水平方向中心軸と、前記第３水平隔壁の水平方向中心軸とで規定される孤立サブピクセル領域内に、少なくとも位置しており、
前記第２書込み電極は、前記第１垂直隔壁の垂直方向中心軸と、前記第２垂直隔壁の垂直方向中心軸と、前記第１水平隔壁の前記水平方向中心軸と、前記第２水平隔壁の水平方向中心軸とで規定される第１ペアサブピクセル領域内に、少なくとも位置しており、
前記第３書込み電極は、前記第１垂直隔壁の前記垂直方向中心軸と、前記第３垂直隔壁の垂直方向中心軸と、前記第１水平隔壁の前記水平方向中心軸と、前記第２水平隔壁の水平方向中心軸とで規定される第２ペアサブピクセル領域内に、少なくとも位置しており、
前記第１ペアサブピクセル領域は、前記二等辺三角形の底辺を構成する一方の頂点に位置する前記第１サブピクセルを形成しており、
前記孤立サブピクセル領域は、前記底辺に対向する前記二等辺三角形の頂点に位置する前記第２サブピクセルを形成しており、
前記第２ペアサブピクセル領域は、前記底辺を構成する他方の頂点に位置する前記第３サブピクセルを形成しており、
前記面放電型プラズマディスプレイパネルは更に、
少なくとも前記第１ペアサブピクセル領域内における前記背面基板の前記内側表面上に形成された第１蛍光体層と、
少なくとも前記孤立ペアサブピクセル領域内における前記背面基板の前記内側表面上に形成された第２蛍光体層と、
少なくとも前記第２ペアサブピクセル領域内における前記背面基板の前記内側表面上に形成された第３蛍光体層とを備えており、
前記維持電極は、
前記第１水平隔壁の直上に位置し且つ前記水平方向に延在する第１金属補助電極と、
前記第１金属補助電極の内で、前記第１水平隔壁と前記第１垂直隔壁との連結部分の直上に位置する部分と、前記第１水平隔壁と前記第２垂直隔壁との連結部分の直上に位置する部分との間に位置する部分から前記第１走査電極に向けて突出すると共に、前記第１ペアサブピクセル領域内に位置する第１透明電極と、
前記第１金属補助電極の内で、前記第１水平隔壁と前記第１垂直隔壁との連結部分の直上に位置する部分と、前記第１水平隔壁と前記第３垂直隔壁との連結部分の直上に位置する部分との間に位置する部分から前記第１走査電極に向けて突出すると共に、前記第２ペアサブピクセル領域内に位置する第２透明電極と、
前記第１金属補助電極の内で、少なくとも、前記第１書込み電極との立体交差部分に隣接し且つ前記第３書込み電極側に位置する部分から、前記第１書込み電極に平行に前記第２走査電極に向けて突出すると共に、前記孤立サブピクセル領域内に位置する第５透明電極とを備え、
前記第１走査電極は、
前記第２水平隔壁の直上に位置し且つ前記水平方向に延在する第２金属補助電極と、
前記第２金属補助電極の内で、前記第２水平隔壁と前記第１垂直隔壁との連結部分の直上に位置する部分と、前記第２水平隔壁と前記第２垂直隔壁との連結部分の直上に位置する部分との間に位置する部分から前記維持電極に向けて突出すると共に、前記第１ペアサブピクセル領域内に位置する第３透明電極と、
前記第２金属補助電極の内で、前記第２水平隔壁と前記第１垂直隔壁との連結部分の直上に位置する部分と、前記第２水平隔壁と前記第３垂直隔壁との連結部分の直上に位置する部分との間に位置する部分から前記維持電極に向けて突出すると共に、前記第２ペアサブピクセル領域内に位置する第４透明電極とを備え、
前記第２走査電極は、
前記第３水平隔壁の直上に位置し且つ前記水平方向に延在する第３金属補助電極と、
前記第３金属補助電極の内で、少なくとも、前記第１書込み電極との立体交差部分に隣接し且つ前記第２書込み電極側に位置する部分から、前記第１書込み電極に平行に前記維持電極に向けて突出すると共に、前記孤立サブピクセル領域内に位置する第６透明電極とを備え、
前記第３透明電極は前記第２書込み電極の直上に位置しており、しかも、前記第３透明電極の垂直方向中心軸は前記第１ペアサブピクセル領域の垂直方向中心軸から前記第２垂直隔壁側に位置しており、
前記第４透明電極は前記第３書込み電極の直上に位置しており、しかも、前記第４透明電極の垂直方向中心軸は前記第２ペアサブピクセル領域の垂直方向中心軸から前記第３垂直隔壁側に位置していることを特徴とする、
面放電型プラズマディスプレイパネル。
【請求項２】
請求の範囲第１項に記載の面放電型プラズマディスプレイパネルであって、
前記第２書込み電極は、
前記垂直方向に平行に延在し且つ矩形状の横断面形状を有する延在部と、
前記延在部の内で前記第１ペアサブピクセル領域内に位置する部分から前記第１書込み電極に向けて前記水平方向に沿って突出する突出部とを備え、
前記第３書込み電極は、
前記垂直方向に平行に延在し且つ矩形状の横断面形状を有する延在部と、
前記延在部の内で前記第２ペアサブピクセル領域内に位置する部分から前記第１書込み電極に向けて前記水平方向に沿って突出する突出部とを備え、
前記第１透明電極は、前記第１金属補助電極の内で、前記第１水平隔壁と前記第１垂直隔壁との前記連結部分の直上に位置する前記部分に対して前記第２書込み電極側に隣接する部分から、前記垂直方向に平行に延在していると共に、矩形状の横断面形状を有しており、
前記第２透明電極は、前記第１金属補助電極の内で、前記第１水平隔壁と前記第１垂直隔壁との前記連結部分の直上に位置する前記部分に対して前記第３書込み電極側に隣接する部分から、前記垂直方向に平行に延在していると共に、矩形状の横断面形状を有しており、
前記第３透明電極は、前記第２金属補助電極の内で、前記第２水平隔壁と前記第２垂直隔壁との前記連結部分の直上に位置する前記部分に対して前記第１書込み電極側に隣接する部分から、前記第１透明電極の側面と対向しつつ、前記垂直方向に平行に延在しており、矩形状の横断面形状を有すると共に、前記第２書込み電極の前記突出部の直上に位置しており、
前記第４透明電極は、前記第２金属補助電極の内で、前記第２水平隔壁と前記第３垂直隔壁との前記連結部分の直上に位置する前記部分に対して前記第１書込み電極側に隣接する部分から、前記第２透明電極の側面と対向しつつ、前記垂直方向に平行に延在しており、矩形状の横断面形状を有すると共に、前記第３書込み電極の前記突出部の直上に位置しており、
前記第１透明電極、前記第２透明電極、前記第３透明電極及び前記第４透明電極は、互いに、同一形状及び同一寸法を有することを特徴とする、
面放電型プラズマディスプレイパネル。
【請求項３】
請求の範囲第２項に記載の面放電型プラズマディスプレイパネルであって、
前記第５透明電極は、前記第１金属補助電極の内で、前記第１書込み電極との前記立体交差部分、当該立体交差部分に隣接し且つ前記第２書込み電極側に位置する部分、及び当該立体交差部分に隣接し且つ前記第３書込み電極側に位置する部分から、突出しており、
前記第６透明電極は、前記第３金属補助電極の内で、前記第１書込み電極との前記立体交差部分、当該立体交差部分に隣接し且つ前記第２書込み電極側に位置する部分及び当該立体交差部分に隣接し且つ前記第３書込み電極側に位置する部分から、突出しており、
前記第６透明電極の先端部は、所定の間隔を以って、前記第５透明電極の先端部に対向しており、
前記第５透明電極及び前記第６透明電極は、同一形状及び同一寸法を有しており、
前記第１書込み電極は、
前記垂直方向に平行に延在すると共に、矩形状の横断面形状を有する延在部と、
前記第１書込み電極の前記延在部の内で前記孤立サブピクセル領域内に位置し且つ前記第６透明電極の直下に位置する部分から、前記第６透明電極の側面の直下部分へ向けて、前記水平方向に沿って突出する突出部とを備えることを特徴とする、
面放電型プラズマディスプレイパネル。
【請求項４】
請求の範囲第２項に記載の面放電型プラズマディスプレイパネルであって、
前記第１書込み電極は、
前記垂直方向に平行に延在すると共に、矩形状の横断面形状を有する延在部と、
前記第１書込み電極の前記延在部の内で前記孤立サブピクセル領域内に位置する部分から、前記第２書込み電極へ向けて、前記水平方向に沿って突出する突出部とを備え、
前記第５透明電極は、前記第１金属補助電極の内で、前記第１書込み電極との前記立体交差部分に隣接し且つ前記第２書込み電極及び前記第３書込み電極の一方側に位置する部分から、前記垂直方向に平行に突出すると共に、矩形状の横断面形状を有しており、
前記第６透明電極は、前記第３金属補助電極の内で、前記第１書込み電極との前記立体交差部分に隣接し且つ前記第２書込み電極及び前記第３書込み電極の他方側に位置する部分から、前記第５透明電極の側面と対向しつつ、前記垂直方向に平行に突出すると共に、矩形状の横断面形状を有しており、
前記第５透明電極及び前記第６透明電極は、共に、前記第１透明電極と同一形状及び同一寸法を有することを特徴とする、
面放電型プラズマディスプレイパネル。
【請求項５】
請求の範囲第１項に記載の面放電型プラズマディスプレイパネルであって、
前記第２書込み電極は、
前記垂直方向に平行に延在し且つ矩形状の横断面形状を有する延在部を備えており、
前記第２書込み電極の前記延在部の内で前記第１ペアサブピクセル領域内に位置する部分は、前記第１垂直隔壁の第１対向側面と前記第２垂直隔壁の対向側面との間に位置し、且つ、前記第２垂直隔壁の前記対向側面寄りに位置しており、
前記第３書込み電極は、
前記垂直方向に平行に延在し且つ矩形状の横断面形状を有する延在部を備えており、
前記第３書込み電極の前記延在部の内で前記第２ペアサブピクセル領域内に位置する部分は、前記第１対向側面とは反対側の前記第１垂直隔壁の第２対向側面と前記第３垂直隔壁の対向側面との間に位置し、且つ、前記第３垂直隔壁の前記対向側面寄りに位置しており、
前記第１透明電極及び前記第３透明電極は、共に、前記第２書込み電極の前記延在部の内で前記第１ペアサブピクセル領域内に位置する前記部分の直上に位置しており、しかも、矩形状の横断面形状を有しており、
前記第１透明電極の先端部は、所定の間隔を隔てて、前記第３透明電極の先端部と対向しており、
前記第２透明電極及び前記第４透明電極は、共に、前記第３書込み電極の前記延在部の内で前記第２ペアサブピクセル領域内に位置する前記部分の直上に位置しており、しかも、矩形状の横断面形状を有しており、
前記第２透明電極の先端部は、前記所定の間隔を隔てて、前記第４透明電極の先端部と対向しており、
前記第１透明電極、前記第２透明電極、前記第３透明電極及び前記第４透明電極は、互いに、同一形状及び同一寸法を有することを特徴とする、
面放電型プラズマディスプレイパネル。
【請求項６】
請求の範囲第５項に記載の面放電型プラズマディスプレイパネルであって、
前記第５透明電極は、前記第１金属補助電極の内で、前記第１書込み電極との前記立体交差部分、当該立体交差部分に隣接し且つ前記第２書込み電極側に位置する部分、及び当該立体交差部分に隣接し且つ前記第３書込み電極側に位置する部分から、突出しており、
前記第６透明電極は、前記第３金属補助電極の内で、前記第１書込み電極との前記立体交差部分、当該立体交差部分に隣接し且つ前記第２書込み電極側に位置する部分及び当該立体交差部分に隣接し且つ前記第３書込み電極側に位置する部分から、突出しており、
前記第６透明電極の先端部は、前記所定の間隔を以って、前記第５透明電極の先端部に対向しており、
前記第５透明電極及び前記第６透明電極は、共に、前記第１透明電極と同一形状及び同一寸法を有することを特徴とする、
面放電型プラズマディスプレイパネル。
【請求項７】
請求の範囲第６項に記載の面放電型プラズマディスプレイパネルであって、
前記第１透明電極、前記第２透明電極、前記第３透明電極及び前記第４透明電極の各々は、対向する透明電極との間に前記所定の間隔を保ちつつ、前記先端部及びその近傍部分から前記第１書込み電極側に向けて第１突出距離だけ前記水平方向に突出する突出部を備えており、
各透明電極はＬ字型の横断面形状を有することを特徴とする、
面放電型プラズマディスプレイパネル。
【請求項８】
請求の範囲第７項に記載の面放電型プラズマディスプレイパネルであって、
前記第５透明電極及び前記第６透明電極の各々は、対向する透明電極との間に前記所定の間隔を保ちつつ、前記先端部及びその近傍部分から前記第２書込み電極側及び前記第３書込み電極側の双方に向けて第２突出距離だけ前記水平方向に突出する突出部を備えており、
前記第５透明電極及び前記第６透明電極の各々は、Ｔ字型の横断面形状を有することを特徴とする、
面放電型プラズマディスプレイパネル。
【請求項９】
請求の範囲第１項に記載の前記面放電型プラズマディスプレイパネルと、
前記面放電型プラズマディスプレイパネルを駆動する信号を生成するために設けられたドライバとを備えることを特徴とする、
面放電型プラズマディスプレイ装置。
【請求項１０】
請求の範囲第１項に記載の前記面放電型プラズマディスプレイパネルに用いられる前面パネルであって、
前記前面基板と、
前記維持電極と、
前記第１走査電極と、
前記第２走査電極と、
前記誘電体層とを備えることを特徴とする、
前面パネル。
【発明の詳細な説明】
技術分野
本発明は、二等辺三角形の各頂点に配置された３つのサブピクセル（サブピクセルを単にセルとも称す）より構成される二等辺デルタ配列型ピクセルを有する面放電型プラズマディスプレイパネル（以下、プラズマディスプレイパネルを単にＰＤＰとも称す）に関するものである。特に本発明は、ＰＤＰの駆動特性を高めるための技術に関している。
背景技術
デルタ配列型ピクセルとは、三角形の頂点に配列された３つのサブピクセルより構成される１ピクセル（画素）であり、この様なデルタ配列型ピクセルをＡＣ面放電型ＰＤＰに適用した例が、日本国特許出願の特開２０００−３５７４６３号公報に開示されている。
更に、この構造を基本としつつ、２本のデータ電極を共通化することによって回路コストを削減する方法（この方法を「Ｗ電極共通アドレス駆動方法」と称する）が、日本国特許出願の特開２０００−２９８４５１号公報において開示されている。
更に、日本国特許出願の特開２００１−１３５２４２号公報においては、維持放電電流の経路を分散させることによって、放電電流のピーク電流値を減少させ、回路コストを削減する方法（この方法を「電流分散方法」と称する）が、開示されている。
更に、デルタ配列型ピクセルを有するＡＣ面放電型ＰＤＰにおいて、擬似的インタレース駆動を行うことによって解像度を向上させる方法（未公開技術：ｎｏ  ｐｒｉｏｒ  ａｒｔ）が、最近、三菱電機株式会社より提案されている（日本国特許出願番号：特願２００１−２９３４７３号、米国特許出願番号：０９／９９０３４４）。
この様に、デルタ配列型ピクセルを有するＰＤＰは、上記の様な数々の利点を有する。
しかしながら、今までに提案された公開済み及び未公開のデルタ配列型ピクセルを有するＰＤＰにおいては、それぞれのサブピクセルの間隔が比較的大きいために、赤、青及び緑の色が混ざり合って表示光が白色に見えないと言う「色分離」が起こり易い点が指摘されている。
そこで、この「色分離」の問題点を解決するために、三菱電機株式会社より、未公開技術（ｎｏ  ｐｒｉｏｒ  ａｒｔ）であるけれども、新しいデルタ配列型ピクセルを有するＰＤＰが提案されている（日本国特許出願番号：特願２００２−７３６０号）。即ち、この未公開技術においては、二等辺三角形の底辺を成す両頂点に位置する二つのサブピクセルを接近させることによって、サブピクセル同士間の距離を比較的短く設定している。この構成によって、同一ピクセル内の各サブピクセル間ピッチが比較的小さくなり、「色分離」の問題を解決することが可能となる。このときのデルタ配列型ピクセルを、以後、「二等辺デルタ配列型ピクセル」と呼ぶことにする。
発明の開示
しかしながら、二等辺デルタ配列型ピクセルを有するＡＣ面放電型ＰＤＰにおいては、書込み電圧のマージンが小さくなるという新たな問題点が生じている。
本発明は上記の様な問題点を解決するためになされたものであり、二等辺デルタ配列型ピクセルを有するＡＣ面放電型ＰＤＰにおいて、書込み電圧のマージンを拡大して、ペアサブピクセル内における誤書込み放電の発生を抑圧することを主目的とする。
更に、本発明は、各サブピクセル間における書込み電圧のマージンのずれを抑制することを、その副目的とする。
更に、本発明は、サブピクセルの中心と発光分布の中心との間のずれを抑制することを、その副目的とする。
第１局面に係る発明は、二等辺三角形の各頂点に位置する第１、第２及び第３サブピクセルより構成されるピクセルを有する面放電型プラズマディスプレイパネルであって、垂直方向に延在する第１書込み電極と、前記第１書込み電極を挟んで前記垂直方向に互いに延在する第２及び第３書込み電極とを有する背面基板と、前記背面基板と封着される周辺部と、表示面を成す外側表面と、前記背面基板の内側表面に対向する内側表面とを有する前面基板と、前記背面基板の前記内側表面上に形成され、前記垂直方向と直交する水平方向に延在する第１水平隔壁と、前記背面基板の前記内側表面上に形成され、前記第１水平隔壁を挟んで前記水平方向に延在する第２及び第３水平隔壁と、前記背面基板の前記内側表面の内で前記第１書込み電極の直上に位置する部分上に形成され、前記垂直方向に延在しつつ前記第１及び第２水平隔壁を互いに連結する第１垂直隔壁と、前記背面基板の前記内側表面上に形成され、前記第１垂直隔壁を挟んで前記垂直方向に延在すると共に、前記第１及び第２水平隔壁を互いに連結する第２及び第３垂直隔壁と、前記背面基板の前記内側表面の内で前記第１書込み電極と前記第２書込み電極との間に位置する部分上に形成され、前記垂直方向に延在して前記第１及び第３水平隔壁を互いに連結する第４垂直隔壁と、前記背面基板の前記内側表面の内で前記第１書込み電極と前記第３書込み電極との間に位置する部分上に形成され、前記垂直方向に延在して前記第１及び第３水平隔壁を互いに連結する第５垂直隔壁と、前記前面基板の前記内側表面上に形成され、且つ、前記水平方向に延在して前記第１、第２及び第３書込み電極と立体交差する維持電極と、前記前面基板の前記内側表面上に形成され、前記維持電極を挟んで前記水平方向に延在すると共に、前記第１、第２及び第３書込み電極と立体交差する第１及び第２走査電極と、前記前面基板の前記内側表面上に形成されており、前記維持電極、前記第１走査電極及び前記第２走査電極を被覆すると共に、前記第１水平隔壁、前記第２水平隔壁、前記第３水平隔壁、前記第１垂直隔壁、前記第２垂直隔壁、前記第３垂直隔壁、前記第４垂直隔壁及び前記第５垂直隔壁のそれぞれの頂部と接触する表面を有する誘電体層とを備え、前記第１書込み電極は、前記第４垂直隔壁の垂直方向中心軸と、前記第５垂直隔壁の垂直方向中心軸と、前記第１水平隔壁の水平方向中心軸と、前記第３水平隔壁の水平方向中心軸とで規定される孤立サブピクセル領域内に、少なくとも位置しており、前記第２書込み電極は、前記第１垂直隔壁の垂直方向中心軸と、前記第２垂直隔壁の垂直方向中心軸と、前記第１水平隔壁の前記水平方向中心軸と、前記第２水平隔壁の水平方向中心軸とで規定される第１ペアサブピクセル領域内に、少なくとも位置しており、前記第３書込み電極は、前記第１垂直隔壁の前記垂直方向中心軸と、前記第３垂直隔壁の垂直方向中心軸と、前記第１水平隔壁の前記水平方向中心軸と、前記第２水平隔壁の水平方向中心軸とで規定される第２ペアサブピクセル領域内に、少なくとも位置しており、前記第１ペアサブピクセル領域は、前記二等辺三角形の底辺を構成する一方の頂点に位置する前記第１サブピクセルを形成しており、前記孤立サブピクセル領域は、前記底辺に対向する前記二等辺三角形の頂点に位置する前記第２サブピクセルを形成しており、前記第２ペアサブピクセル領域は、前記底辺を構成する他方の頂点に位置する前記第３サブピクセルを形成しており、前記面放電型プラズマディスプレイパネルは更に、少なくとも前記第１ペアサブピクセル領域内における前記背面基板の前記内側表面上に形成された第１蛍光体層と、少なくとも前記孤立ペアサブピクセル領域内における前記背面基板の前記内側表面上に形成された第２蛍光体層と、少なくとも前記第２ペアサブピクセル領域内における前記背面基板の前記内側表面上に形成された第３蛍光体層とを備えており、前記維持電極は、前記第１水平隔壁の直上に位置し且つ前記水平方向に延在する第１金属補助電極と、前記第１金属補助電極の内で、前記第１水平隔壁と前記第１垂直隔壁との連結部分の直上に位置する部分と、前記第１水平隔壁と前記第２垂直隔壁との連結部分の直上に位置する部分との間に位置する部分から前記第１走査電極に向けて突出すると共に、前記第１ペアサブピクセル領域内に位置する第１透明電極と、前記第１金属補助電極の内で、前記第１水平隔壁と前記第１垂直隔壁との連結部分の直上に位置する部分と、前記第１水平隔壁と前記第３垂直隔壁との連結部分の直上に位置する部分との間に位置する部分から前記第１走査電極に向けて突出すると共に、前記第２ペアサブピクセル領域内に位置する第２透明電極と、前記第１金属補助電極の内で、少なくとも、前記第１書込み電極との立体交差部分に隣接し且つ前記第３書込み電極側に位置する部分から、前記第１書込み電極に平行に前記第２走査電極に向けて突出すると共に、前記孤立サブピクセル領域内に位置する第５透明電極とを備え、前記第１走査電極は、前記第２水平隔壁の直上に位置し且つ前記水平方向に延在する第２金属補助電極と、前記第２金属補助電極の内で、前記第２水平隔壁と前記第１垂直隔壁との連結部分の直上に位置する部分と、前記第２水平隔壁と前記第２垂直隔壁との連結部分の直上に位置する部分との間に位置する部分から前記維持電極に向けて突出すると共に、前記第１ペアサブピクセル領域内に位置する第３透明電極と、前記第２金属補助電極の内で、前記第２水平隔壁と前記第１垂直隔壁との連結部分の直上に位置する部分と、前記第２水平隔壁と前記第３垂直隔壁との連結部分の直上に位置する部分との間に位置する部分から前記維持電極に向けて突出すると共に、前記第２ペアサブピクセル領域内に位置する第４透明電極とを備え、前記第２走査電極は、前記第３水平隔壁の直上に位置し且つ前記水平方向に延在する第３金属補助電極と、前記第３金属補助電極の内で、少なくとも、前記第１書込み電極との立体交差部分に隣接し且つ前記第２書込み電極側に位置する部分から、前記第１書込み電極に平行に前記維持電極に向けて突出すると共に、前記孤立サブピクセル領域内に位置する第６透明電極とを備え、前記第３透明電極は前記第２書込み電極の直上に位置しており、しかも、前記第３透明電極の垂直方向中心軸は前記第１ペアサブピクセル領域の垂直方向中心軸から前記第２垂直隔壁側に位置しており、前記第４透明電極は前記第３書込み電極の直上に位置しており、しかも、前記第４透明電極の垂直方向中心軸は前記第２ペアサブピクセル領域の垂直方向中心軸から前記第３垂直隔壁側に位置していることを特徴とする。
第２局面に係る発明は、請求の範囲第１項に記載の面放電型プラズマディスプレイパネルであって、前記第２書込み電極は、前記垂直方向に平行に延在し且つ矩形状の横断面形状を有する延在部と、前記延在部の内で前記第１ペアサブピクセル領域内に位置する部分から前記第１書込み電極に向けて前記水平方向に沿って突出する突出部とを備え、前記第３書込み電極は、前記垂直方向に平行に延在し且つ矩形状の横断面形状を有する延在部と、前記延在部の内で前記第２ペアサブピクセル領域内に位置する部分から前記第１書込み電極に向けて前記水平方向に沿って突出する突出部とを備え、前記第１透明電極は、前記第１金属補助電極の内で、前記第１水平隔壁と前記第１垂直隔壁との前記連結部分の直上に位置する前記部分に対して前記第２書込み電極側に隣接する部分から、前記垂直方向に平行に延在していると共に、矩形状の横断面形状を有しており、前記第２透明電極は、前記第１金属補助電極の内で、前記第１水平隔壁と前記第１垂直隔壁との前記連結部分の直上に位置する前記部分に対して前記第３書込み電極側に隣接する部分から、前記垂直方向に平行に延在していると共に、矩形状の横断面形状を有しており、前記第３透明電極は、前記第２金属補助電極の内で、前記第２水平隔壁と前記第２垂直隔壁との前記連結部分の直上に位置する前記部分に対して前記第１書込み電極側に隣接する部分から、前記第１透明電極の側面と対向しつつ、前記垂直方向に平行に延在しており、矩形状の横断面形状を有すると共に、前記第２書込み電極の前記突出部の直上に位置しており、前記第４透明電極は、前記第２金属補助電極の内で、前記第２水平隔壁と前記第３垂直隔壁との前記連結部分の直上に位置する前記部分に対して前記第１書込み電極側に隣接する部分から、前記第２透明電極の側面と対向しつつ、前記垂直方向に平行に延在しており、矩形状の横断面形状を有すると共に、前記第３書込み電極の前記突出部の直上に位置しており、前記第１透明電極、前記第２透明電極、前記第３透明電極及び前記第４透明電極は、互いに、同一形状及び同一寸法を有することを特徴とする。
第３局面に係る発明は、請求の範囲第２項に記載の面放電型プラズマディスプレイパネルであって、前記第５透明電極は、前記第１金属補助電極の内で、前記第１書込み電極との前記立体交差部分、当該立体交差部分に隣接し且つ前記第２書込み電極側に位置する部分、及び当該立体交差部分に隣接し且つ前記第３書込み電極側に位置する部分から、突出しており、前記第６透明電極は、前記第３金属補助電極の内で、前記第１書込み電極との前記立体交差部分、当該立体交差部分に隣接し且つ前記第２書込み電極側に位置する部分及び当該立体交差部分に隣接し且つ前記第３書込み電極側に位置する部分から、突出しており、前記第６透明電極の先端部は、所定の間隔を以って、前記第５透明電極の先端部に対向しており、前記第５透明電極及び前記第６透明電極は、同一形状及び同一寸法を有しており、前記第１書込み電極は、前記垂直方向に平行に延在すると共に、矩形状の横断面形状を有する延在部と、前記第１書込み電極の前記延在部の内で前記孤立サブピクセル領域内に位置し且つ前記第６透明電極の直下に位置する部分から、前記第６透明電極の側面の直下部分へ向けて、前記水平方向に沿って突出する突出部とを備えることを特徴とする。
第４局面に係る発明は、請求の範囲第２項に記載の面放電型プラズマディスプレイパネルであって、前記第１書込み電極は、前記垂直方向に平行に延在すると共に、矩形状の横断面形状を有する延在部と、前記第１書込み電極の前記延在部の内で前記孤立サブピクセル領域内に位置する部分から、前記第２書込み電極へ向けて、前記水平方向に沿って突出する突出部とを備え、前記第５透明電極は、前記第１金属補助電極の内で、前記第１書込み電極との前記立体交差部分に隣接し且つ前記第２書込み電極及び前記第３書込み電極の一方側に位置する部分から、前記垂直方向に平行に突出すると共に、矩形状の横断面形状を有しており、前記第６透明電極は、前記第３金属補助電極の内で、前記第１書込み電極との前記立体交差部分に隣接し且つ前記第２書込み電極及び前記第３書込み電極の他方側に位置する部分から、前記第５透明電極の側面と対向しつつ、前記垂直方向に平行に突出すると共に、矩形状の横断面形状を有しており、前記第５透明電極及び前記第６透明電極は、共に、前記第１透明電極と同一形状及び同一寸法を有することを特徴とする。
第５局面に係る発明は、請求の範囲第１項に記載の面放電型プラズマディスプレイパネルであって、前記第２書込み電極は、前記垂直方向に平行に延在し且つ矩形状の横断面形状を有する延在部を備えており、前記第２書込み電極の前記延在部の内で前記第１ペアサブピクセル領域内に位置する部分は、前記第１垂直隔壁の第１対向側面と前記第２垂直隔壁の対向側面との間に位置し、且つ、前記第２垂直隔壁の前記対向側面寄りに位置しており、前記第３書込み電極は、前記垂直方向に平行に延在し且つ矩形状の横断面形状を有する延在部を備えており、前記第３書込み電極の前記延在部の内で前記第２ペアサブピクセル領域内に位置する部分は、前記第１対向側面とは反対側の前記第１垂直隔壁の第２対向側面と前記第３垂直隔壁の対向側面との間に位置し、且つ、前記第３垂直隔壁の前記対向側面寄りに位置しており、前記第１透明電極及び前記第３透明電極は、共に、前記第２書込み電極の前記延在部の内で前記第１ペアサブピクセル領域内に位置する前記部分の直上に位置しており、しかも、矩形状の横断面形状を有しており、前記第１透明電極の先端部は、所定の間隔を隔てて、前記第３透明電極の先端部と対向しており、前記第２透明電極及び前記第４透明電極は、共に、前記第３書込み電極の前記延在部の内で前記第２ペアサブピクセル領域内に位置する前記部分の直上に位置しており、しかも、矩形状の横断面形状を有しており、前記第２透明電極の先端部は、前記所定の間隔を隔てて、前記第４透明電極の先端部と対向しており、前記第１透明電極、前記第２透明電極、前記第３透明電極及び前記第４透明電極は、互いに、同一形状及び同一寸法を有することを特徴とする。
第６局面に係る発明は、請求の範囲第５項に記載の面放電型プラズマディスプレイパネルであって、前記第５透明電極は、前記第１金属補助電極の内で、前記第１書込み電極との前記立体交差部分、当該立体交差部分に隣接し且つ前記第２書込み電極側に位置する部分、及び当該立体交差部分に隣接し且つ前記第３書込み電極側に位置する部分から、突出しており、前記第６透明電極は、前記第３金属補助電極の内で、前記第１書込み電極との前記立体交差部分、当該立体交差部分に隣接し且つ前記第２書込み電極側に位置する部分及び当該立体交差部分に隣接し且つ前記第３書込み電極側に位置する部分から、突出しており、前記第６透明電極の先端部は、前記所定の間隔を以って、前記第５透明電極の先端部に対向しており、前記第５透明電極及び前記第６透明電極は、共に、前記第１透明電極と同一形状及び同一寸法を有することを特徴とする。
第７局面に係る発明は、請求の範囲第６項に記載の面放電型プラズマディスプレイパネルであって、前記第１透明電極、前記第２透明電極、前記第３透明電極及び前記第４透明電極の各々は、対向する透明電極との間に前記所定の間隔を保ちつつ、前記先端部及びその近傍部分から前記第１書込み電極側に向けて第１突出距離だけ前記水平方向に突出する突出部を備えており、各透明電極はＬ字型の横断面形状を有することを特徴とする。
第８局面に係る発明は、請求の範囲第７項に記載の面放電型プラズマディスプレイパネルであって、前記第５透明電極及び前記第６透明電極の各々は、対向する透明電極との間に前記所定の間隔を保ちつつ、前記先端部及びその近傍部分から前記第２書込み電極側及び前記第３書込み電極側の双方に向けて第２突出距離だけ前記水平方向に突出する突出部を備えており、前記第５透明電極及び前記第６透明電極の各々は、Ｔ字型の横断面形状を有することを特徴とする。
第９局面に係る発明は、面放電型プラズマディスプレイ装置であって、請求の範囲第１項に記載の前記面放電型プラズマディスプレイパネルと、前記面放電型プラズマディスプレイパネルを駆動する信号を生成するために設けられたドライバとを備えることを特徴とする。
第１０局面に係る発明は、請求の範囲第１項に記載の前記面放電型プラズマディスプレイパネルに用いられる前面パネルであって、前記前面基板と、前記維持電極と、前記第１走査電極と、前記第２走査電極と、前記誘電体層とを備えることを特徴とする。
本発明の第１、第２、第５、第９及び第１０の各局面によれば、第１ペアサブピクセル領域の第３透明電極、及び第２ペアサブピクセル領域の第４透明電極が、共に孤立サブピクセル領域を選択するための第１書込み電極からより遠方に離れた位置に配設されているため、孤立サブピクセルを選択し且つ両ペアサブピクセルを非選択とする場合に、各ペアサブピクセル領域内で誤放電が発生しにくくなり、その結果、書込み電圧のマージンを拡大することが出来ると言う効果を奏する。
本発明の第３局面によれば、孤立サブピクセル領域内における第１書込み電極と第６透明電極との間の書込み放電をより一層起こし易くすることが出来ると言う効果を奏する。
本発明の第４及び第６局面によれば、個々のサブピクセルにおける書込み電圧マージンを同じ値にすることが出来るので、全体の電圧マージンをより一層拡大することが出来ると言う効果を奏する。
本発明の第７局面によれば、各ペアサブピクセル領域における、当該領域の垂直方向中心軸の位置と、発光分布の中心位置とのずれの発生を無くすことが出来るので、色分離改善効果が得やすくなると言う効果を奏する。
本発明の第８局面によれば、孤立サブピクセル領域においても、当該領域の垂直方向中心軸の位置と、発光分布の中心位置とのずれの発生を無くすことが出来るので、色分離改善効果が更に一層得やすくなると言う効果を奏する。
本発明の目的、特徴、局面及び利点に関しては、上述したものの他、それ以外のものをも含めて、添付図面と共に、以下に詳述する。
発明を実施するための最良の形態
本発明に係るＡＣ駆動面放電反射型ＰＤＰは二等辺デルタ配列型ピクセルを有するので、先ず、図面を参照しつつ、二等辺デルタ配列型ピクセルの構成及び各サブピクセルの定義について、記載する。
ここで、図１は、二等辺デルタ配列型ピクセルの構成を模式的に示す図である。図１においては、互いに隣接し合う４個の二等辺デルタ配列型ピクセルＰ１、Ｐ２、Ｐ３、Ｐ４が描かれており、垂直方向（第２方向）ｖに隣接するピクセルＰ１、Ｐ３は共に同一のサブピクセル配列構成を有しており、同じく、ピクセルＰ２、Ｐ４もまた同一のサブピクセル配列構成を有している。ここでは、ピクセルＰ１を例に取上げることで、各ピクセルＰ１、Ｐ２、Ｐ３、Ｐ４の構成を記載することにする。
図１に示す様に、ピッチｐを有する正方形として表されるピクセルＰ１は、３個のサブピクセルＰＳＰ１、ＰＳＰ２、ＩＳＰより構成されており、これらのサブピクセルＰＳＰ１、ＰＳＰ２、ＩＳＰの中心点は、二等辺三角形の頂点Ａ１、Ａ３、Ａ２に配置されている。これらのサブピクセルの内で、二等辺三角形の底辺ＴＢを構成する両頂点Ａ１、Ａ３に位置する２個のサブピクセルＰＳＰ１、ＰＳＰ２を「ペアサブピクセル」と定義する。特に、二等辺三角形の底辺ＴＢを成す一方の頂点Ａ１に位置する中心点を有する第１サブピクセルＰＳＰ１を「第１ペアサブピクセルＡ」と称し、上記底辺ＴＢを成す他方の頂点Ａ３に位置する中心点を有する第３サブピクセルＰＳＰ２を「第２ペアサブピクセルＣ」と称する。又、上記底辺ＴＢに対向する二等辺三角形の残りの１頂点Ａ２に位置する中心点を有する第２サブピクセルＩＳＰを、「孤立サブピクセルＢ」と定義する。
そして、第１ペアサブピクセルＡ、孤立サブピクセルＢ及び第２ペアサブピクセルＣの各々は、赤（Ｒ）、緑（Ｇ）及び青（Ｂ）より成る光の３原色中の何れかの色を発するサブピクセルに対応しているが、本明細書では、一般化の観点から、特に各サブピクセルに対応する色を表記することはしていない。尚、例えばサブピクセルＡ、Ｂ、Ｃの色がそれぞれＲ、Ｇ、Ｂである場合には、表示面内において垂直方向（第２方向）ｖと直交する水平方向（第１方向）ｈに関して、（Ｒ、Ｇ、Ｂ、Ｒ、Ｇ、Ｂ）から成る色配列が、形成される。
尚、図１のピクセルＰ２における第１ペアサブピクセルＡ及び第２ペアサブピクセルＣの位置を互いに逆転させることで、ピクセルＰ２のサブピクセル配列構成をピクセルＰ１のそれと同一にする様にしても良い。
（実施の形態１）
＜パネルの構造＞
図２は、本実施の形態に係るＡＣ駆動面放電反射型ＰＤＰの構造を表示面側から眺めたときの透視平面図であり、便宜上、互いに隣接し合う４個のピクセルＰ１、Ｐ２、Ｐ３、Ｐ４を構成する構造のみを拡大して描いた図である。即ち、図２は、電極対を成すＸ電極（走査電極とも称す）及びＹ電極（維持電極又は共通電極とも称す）、Ｗ電極（データ電極又は書き込み電極とも称す）、並びに隔壁（単にリブとも称す）の位置関係を示すものである。ここで、図２の各ピクセルＰ１、Ｐ２、Ｐ３、Ｐ４は、それぞれ図１に示す二等辺デルタ配列型ピクセルＰ１、Ｐ２、Ｐ３、Ｐ４に相当している。従って、各ピクセルＰ１、Ｐ２、Ｐ３、Ｐ４は、２個のペアサブピクセルＰＳＰ１（Ａ）、ＰＳＰ２（Ｃ）、及び１個の孤立サブピクセルＩＳＰ（Ｂ）より構成されている。
サブフィールド階調法における各電極の役割を、以下に簡単に記載する。先ず、Ｘ電極（Ｘｉ、Ｘｉ＋１、Ｘｉ＋２等）は、各サブフィールド内の書き込み期間において、各行に対応して、スキャンパルスが印加される電極である。又、Ｙ電極は、各サブフィールド内の維持放電期間において、Ｘ電極との間で維持放電を発生させる電極である。更に、Ｗ電極（Ｗｊ（Ａ）、Ｗｊ（Ｂ）、Ｗｊ（Ｃ）等）は、各サブフィールド内の書き込み期間において、各行の各色に対応して、選択又は非選択を示すデータパルスが印加される電極である。尚、図２及び後述する図面においては、各電極を第１、第２及び第３サブピクセルＡ、Ｂ、Ｃに対応させて表示する際には、対応するサブピクセルを示す参照記号（Ａ、Ｂ、Ｃ）を括弧で囲んだ記号を各電極の参照記号に付記することとしている。例えば、第ｊ番目の列に属する第１サブピクセルＡのＷ電極は、Ｗｊ（Ａ）電極と表記されている。
又、図３は、図２に示すＷ電極とリブとの関係を示す透視平面図であり、図４は、図２に示すＷ電極、Ｘ電極及びＹ電極の関係を示す透視平面図である。又、図５は、図２におけるＣ１−Ｃ２線に関する縦断面図である。更に、図６は、図２における孤立サブピクセル領域ＩＳＰＲを拡大して示す透視平面図であり、図７は、図６のＡ１−Ａ２線に関する縦断面図であり、図８は、図６のＢ１−Ｂ２線に関する縦断面図である。
以下においては、図２乃至図８の図面を参照しつつ、図２の第１ピクセルＰ１の構造を代表例として記載することで、本実施の形態に係るＡＣ駆動面放電反射型ＰＤＰの構造を記載することにする。
先ず、本ＰＤＰは、大別して、互いに周囲で封着された前面パネルＦＰと背面パネルＲＰとから成る。そして、前面パネルＦＰは、前面ガラス基板（単に前面基板とも称す）ＦＳと、Ｘ電極及びＹ電極の電極対と、誘電体層とを、含む。ここで、ＭｇＯ膜等の保護膜を誘電体層の表面上に設けるときには、この保護膜とその下地の誘電体層とを合わせた絶縁層を、「誘電体層」と定義する。他方、背面パネルＲＰは、背面基板ＲＳと、リブと、蛍光体層とを、有する。ここで、背面基板ＲＳは、背面ガラス基板ＲＧＳと、Ｗ電極と、グレーズ層ＧＬとより成り、この場合には、グレーズ層ＧＬの上側表面が背面基板ＲＳの内側表面ＲＳＩＳに該当する。これに対して、グレーズ層ＧＬを設けない場合には、背面基板ＲＳの内側表面ＲＳＩＳとは、背面ガラス基板ＲＧＳの内側表面とＷ電極の表面とに該当する。以下、各部の構成の詳細を順次に記載する。
背面基板ＲＳは、垂直方向ｖに延在する第１書込み電極Ｗｊ（Ｂ）と、第１書込み電極Ｗｊ（Ｂ）を挟んで垂直方向ｖに互いに延在する第２書込み電極Ｗｊ（Ａ）及び第３書込み電極Ｗｊ（Ｃ）とを有する。これらの書込み電極Ｗｊ（Ａ）、Ｗｊ（Ｂ）、Ｗｊ（Ｃ）は、背面ガラス基板ＲＧＳの内側表面ＲＧＳＩＳ上に形成されており、しかも、外部への取出し端子部（図示せず）を除いてグレーズ層ＧＬによって被覆されている。
前面基板ＦＳは、背面基板ＲＳの周辺部（図示せず）と封着される周辺部（図示せず）と、表示面を成す外側表面ＦＳＯＳと、背面基板ＲＳの内側表面ＲＳＩＳに対向する内側表面ＦＳＩＳとを有する。
そして、上述の構造を備える前面ガラス基板ＦＳと背面ガラス基板ＲＧＳとの間に形成される放電空間内には、Ｎｅ＋Ｘｅ混合ガス又はＨｅ＋Ｘｅ混合ガス等の放電用ガスが、大気圧以下の圧力で、封入されている。
次に、グレーズ層ＧＬの表面上に格子状に形成されている、第１ピクセルＰ１内の隔壁群について、図３を参照しつつ記載する。この格子状隔壁群は、各放電セルを分離する役割を果たすと共に、ＰＤＰが大気圧により潰されない様にするために前面パネルＦＰを支える支柱としての役割をも果たす。
図３に示す様に、第１水平隔壁ＨＲ１が、垂直方向ｖと直交する水平方向ｈに平行に延在する様に、背面基板ＲＳの内側表面ＲＳＩＳ上に形成されている。更に、第２水平隔壁ＨＲ２及び第３水平隔壁ＨＲ３が、第１水平隔壁ＨＲ１を挟んで水平方向ｈに平行に延在する様に、背面基板ＲＳの内側表面上ＲＳＩＳに形成されている。ここで、第１水平隔壁ＨＲ１の水平方向中心軸（図３中において黒丸の配列によって示されている軸）と第２水平隔壁ＨＲ２の水平方向中心軸（図３中において黒丸の配列によって示されている軸）との間隔はピッチｐ／２であり、同じく、第１水平隔壁ＨＲ１の水平方向中心軸と第３水平隔壁ＨＲ３の水平方向中心軸（図３中において黒丸の配列によって示されている軸）との間隔もまたピッチｐ／２である。尚、これらの水平隔壁ＨＲ１、ＨＲ２、ＨＲ３は、水平方向ｈに一列に配列している全てのピクセルに渡って形成されている。図３では、水平隔壁ＨＲ１、ＨＲ２、ＨＲ３は、第１及び第２ピクセルＰ１、Ｐ２に渡って形成されている。
これに対して、第１垂直隔壁ＶＲ１が、グレーズ層ＧＬの内側表面ＲＳＩＳの内で第１書込み電極Ｗｊ（Ｂ）の直上に位置する部分上に形成されており、しかも、垂直方向ｖに平行に延在しつつ、第１及び第２水平隔壁ＨＲ１、ＨＲ２を互いに連結している。
更に、第２垂直隔壁ＶＲ２及び第３垂直隔壁ＶＲ３が、第１垂直隔壁ＶＲ１を挟んで垂直方向ｖに平行に延在する様に、グレーズ層ＧＬの内側表面ＲＳＩＳ上に形成されており、しかも、第１及び第２水平隔壁ＨＲ１、ＨＲ２を互いに連結している。ここで、第１垂直隔壁ＶＲ１の垂直方向中心軸（図３中において黒丸の配列によって示されている軸）と第２垂直隔壁ＶＲ２の垂直方向中心軸（図３中において黒丸の配列によって示されている軸）との間隔、及び、第１垂直隔壁ＶＲ１の垂直方向中心軸と第３垂直隔壁ＶＲ３の垂直方向中心軸（図３中において黒丸の配列によって示されている軸）との間隔は、共にピッチｄ（＝ｐ／３）である（図１及び図４参照）。
更に、第４垂直隔壁ＶＲ４が、背面基板ＲＳの内側表面ＲＳＩＳの内で第１書込み電極Ｗｊ（Ｂ）と第２書込み電極Ｗｊ（Ａ）との間に位置する部分上に形成されており、しかも、垂直方向ｖに平行に延在して第１及び第３水平隔壁ＨＲ１、ＨＲ３を互いに連結している。加えて、第５垂直隔壁ＶＲ５が、背面基板ＲＳの内側表面ＲＳＩＳの内で第１書込み電極Ｗｊ（Ｂ）と第３書込み電極Ｗｊ（Ｃ）との間に位置する部分上に形成されており、且つ、第４垂直隔壁ＶＲ４と対向しつつ垂直方向ｖに平行に延在して第１及び第３水平隔壁ＨＲ１、ＨＲ３を互いに連結している。そして、第４垂直隔壁ＶＲ４の垂直方向中心軸（図３中において黒丸の配列によって示されている軸）と第５垂直隔壁ＶＲ５の垂直方向中心軸（図３中において黒丸の配列によって示されている軸）との間隔は、ピッチｄである。
尚、第２ピクセルＰ２においては、水平隔壁ＨＲ２は「第３水平隔壁」に該当し、水平隔壁ＨＲ３は「第２水平隔壁」に該当する。
尚、各垂直隔壁ＶＲ１−ＶＲ５は、真直ぐに延びるのではなくて、折れ曲がりながら垂直方向ｖに延在する形状を有していても良い（例えば、Ａｓｉａ  Ｄｉｓｐａｙ／ＩＤ  Ｗ’０１  ｐｐ．８６５−８６８のＦｉｇ．１に描かれた様な隔壁の形状）。
ここで、「孤立サブピクセル領域ＩＳＰＲ」は、第４垂直隔壁ＶＲ４の上記垂直方向中心軸と、第５垂直隔壁ＶＲ５の上記垂直方向中心軸と、第１水平隔壁ＨＲ１の上記水平方向中心軸と、第３水平隔壁ＨＲ３の上記水平方向中心軸とで規定される、ないしは、取り囲まれる３次元領域として、定義される。この領域ＩＳＰＲは、図１の孤立サブピクセルＩＳＰを形成する。そして、当該領域ＩＳＰＲ内には、第１書込み電極Ｗｊ（Ｂ）が配設されており、しかも、同電極Ｗｊ（Ｂ）の垂直方向中心軸と孤立サブピクセル領域ＩＳＰＲの垂直方向中心軸とは一致する。更に、第２蛍光体層ＦＬ２が、少なくとも孤立サブピクセル領域ＩＳＰＲ内におけるグレーズ層ＧＬの内側表面ＲＳＩＳ上に形成されている。ここでは、第２蛍光体層ＦＬ２は、孤立サブピクセル領域ＩＳＰＲを規定ないしは取り囲む各隔壁ＶＲ４、ＶＲ５、ＨＲ１、ＨＲ３の側面上、及び、孤立サブピクセル領域ＩＳＰＲ内のグレーズ層ＧＬの内側表面ＲＳＩＳ上に、全面的に形成されている。
又、「第１ペアサブピクセル領域ＰＳＰＲ１」は、第１垂直隔壁ＶＲ１の上記垂直方向中心軸と、第２垂直隔壁ＶＲ２の上記垂直方向中心軸と、第１水平隔壁ＨＲ１の上記水平方向中心軸と、第２水平隔壁ＨＲ２の上記水平方向中心軸とで規定される、あるいは、取り囲まれる３次元領域として、定義される。この領域ＰＳＰＲ１は、図１の第１ペアサブピクセルＰＳＰ１を形成する。そして、当該領域ＰＳＰＲ１内には、第２書込み電極Ｗｊ（Ａ）が配設されている。加えて、第１蛍光体層ＦＬ１が、少なくとも第１ペアサブピクセル領域ＰＳＰＲ１内におけるグレーズ層ＧＬの内側表面ＲＳＩＳ上に形成されている。ここでは、第１蛍光体層ＦＬ１は、第１ペアサブピクセル領域ＰＳＰＲ１を規定ないしは取り囲む各隔壁ＶＲ１、ＶＲ２、ＨＲ１、ＨＲ２の側面上、及び、第１ペアサブピクセル領域ＰＳＰＲ１内のグレーズ層ＧＬの内側表面ＲＳＩＳ上に、全面的に形成されている。
又、「第２ペアサブピクセル領域ＰＳＰＲ２」は、第１垂直隔壁ＶＲ１の上記垂直方向中心軸と、第３垂直隔壁ＶＲ３の上記垂直方向中心軸と、第１水平隔壁ＨＲ１の上記水平方向中心軸と、第２水平隔壁ＨＲ２の上記水平方向中心軸とで規定される、ないしは、取り囲まれる３次元領域として、定義される。この領域ＰＳＰＲ２は、図１の第２ペアサブピクセルＰＳＰ２を形成する。そして、当該領域ＰＳＰＲ２内には、第３書込み電極Ｗｊ（Ｃ）が配設されている。加えて、第３蛍光体層ＦＬ３が、少なくとも第２ペアサブピクセル領域ＰＳＰＲ２内におけるグレーズ層ＧＬの内側表面ＲＳＩＳ上に形成されている。ここでは、第３蛍光体層ＦＬ３は、第２ペアサブピクセル領域ＰＳＰＲ２を規定ないしは取り囲む各隔壁ＶＲ１、ＶＲ３、ＨＲ１、ＨＲ２の側面上、及び、第２ペアサブピクセル領域ＰＳＰＲ１内のグレーズ層ＧＬの内側表面ＲＳＩＳ上に、全面的に形成されている。
ここで、図３中の参照記号ＮＤＲは、面放電が生じない非放電領域であり、非放電セルを構成する。そして、第１ピクセルＰ１における、孤立サブピクセル領域ＩＳＰＲに隣接する両非放電領域ＮＤＲ内には、後述する第２及び第３書込み電極Ｗｊ（Ａ）、Ｗｊ（Ｃ）の延在部ＷＡＥ、ＷＣＥが、配設されている。尚、非放電領域ＮＤＲの直上に位置する前面パネルＦＰの部分内に（例えば、非放電領域ＮＤＲの直上に位置する前面基板ＦＳの内側表面ＦＳＩＳ上に）、外光の反射を抑制するための黒色層（図示せず）を設ける様にしても良い。
次に、各書込み電極Ｗｊ（Ａ）、Ｗｊ（Ｂ）、Ｗｊ（Ｃ）の構成について、図２、図３及び図４を参照しつつ、詳述する。
先ず、第１書込み電極Ｗｊ（Ｂ）は、垂直方向ｖに平行に延在し且つ矩形状の横断面形状を有する延在部のみから成り、その垂直方向中心軸は第１垂直隔壁ＶＲ１の垂直方向中心軸に対応する。
次に、第２書込み電極Ｗｊ（Ａ）は、（１）垂直方向ｖに平行に延在し且つ矩形状の横断面形状を有する延在部ＷＡＥと、（２）突出部ＷＡＰとから成る。これらの内で、延在部ＷＡＥの垂直方向中心軸は、第２垂直隔壁ＶＲ２の垂直方向中心軸に相当する。又、突出部ＷＡＰは、延在部ＷＡＥの内で第１ペアサブピクセル領域ＰＳＰＲ１内に位置する部分から、第１書込み電極Ｗｊ（Ｂ）に向けて水平方向ｈに沿って平行に突出している。
更に、第３書込み電極Ｗｊ（Ｃ）は、（１）垂直方向ｖに平行に延在し且つ矩形状の横断面形状を有する延在部ＷＣＥと、（２）突出部ＷＣＰとから成る。これらの内で、延在部ＷＣＥの垂直方向中心軸は、第３垂直隔壁ＶＲ３の垂直方向中心軸に相当する。又、突出部ＷＣＰは、延在部ＷＣＥの内で第２ペアサブピクセル領域ＰＳＰＲ２内に位置する部分から、第１書込み電極Ｗｊ（Ｂ）に向けて水平方向ｈに沿って平行に突出している。
次に、第１ピクセルＰ１内におけるＸ電極（Ｘｉ、Ｘｉ＋１）及びＹ電極について、図２及び図４に基づき、詳述する。電極対を成すＸ電極及びＹ電極は、紫外線を生成する維持放電（表示放電）の形成に寄与する電極である。
先ず、全てのピクセルに共通する維持電極（Ｙ電極）１０５が、水平方向ｈに平行に延在する様に、且つ、第２、第１及び第３書込み電極Ｗｊ（Ａ）、Ｗｊ（Ｂ）、Ｗｊ（Ｃ）と立体交差する様に、前面基板ＦＳの内側表面ＦＳＩＳ上に形成されている。ここで、隣り合う維持電極１０５の水平方向中心軸同士の間隔は、ピッチｐである。そして、維持電極１０５は、（１）対応する蛍光体層から出射される可視光線を効率良く表示面に取り出すための複数の透明電極と、（２）透明電極に外部の駆動回路から電流を供給するために設けられる、透明電極と比較して十分に低抵抗の金属補助電極（バス電極とも称す）とから、構成されている。この点を以下に詳述する。
即ち、維持電極１０５は、第１水平隔壁ＨＲ１の直上に位置し、且つ、水平方向ｈに平行に延在する第１金属補助電極Ｍ１を有する。尚、第１金属補助電極Ｍ１を前面基板ＦＳの内側表面ＦＳＩＳ上に直接に形成しても良いが（但し、後述する透明電極との連結部分においては、第１金属補助電極Ｍ１は当該透明電極の上に形成される）、これに代えて、第１水平隔壁ＨＲ１の直上に位置し、且つ、水平方向ｈに平行に延在すると共に、第１金属補助電極Ｍ１と同じ幅寸法を有する水平方向透明電極（図示せず）を前面基板ＦＳの内側表面ＦＳＩＳ上に直接に形成した上で、この水平方向透明電極の上に、第１金属補助電極Ｍ１を重なる様に形成する方が、より好ましい。
更に、維持電極１０５は、第１透明電極Ｔ１を有する。この第１透明電極Ｔ１は、第１ペアサブピクセル領域ＰＳＰＲ１内に位置すると共に、第１金属補助電極Ｍ１の内で、第１水平隔壁ＨＲ１と第１垂直隔壁ＶＲ１との連結部分の直上に位置する部分と、第１水平隔壁ＨＲ１と第２垂直隔壁ＶＲ２との連結部分の直上に位置する部分との間に位置する電極部分（第１書込み電極Ｗｊ（Ｂ）側に寄った部分）から、第１走査電極１０４１のバス電極に向けて突出している。即ち、第１透明電極Ｔ１は、第１金属補助電極Ｍ１の内で、第１水平隔壁ＨＲ１と第１垂直隔壁ＶＲ１との上記連結部分の直上に位置する上記電極部分に対して第２書込み電極Ｗｊ（Ａ）側に隣接する電極部分から、垂直方向ｖに平行に延在していると共に、矩形状の横断面形状を有している。
更に、維持電極１０５は、第２透明電極Ｔ２を有する。この第２透明電極Ｔ２は、第２ペアサブピクセル領域ＰＳＰＲ２内に位置すると共に、第１金属補助電極Ｍ１の内で、第１水平隔壁ＨＲ１と第１垂直隔壁ＶＲ１との上記連結部分の直上に位置する上記電極部分と、第１水平隔壁ＨＲ１と第３垂直隔壁ＶＲ３との連結部分の直上に位置する電極部分との間に位置する電極部分（第１書込み電極Ｗｊ（Ｂ）側に寄った部分）から、第１走査電極１０４１のバス電極に向けて突出している。即ち、第２透明電極Ｔ２は、第１金属補助電極Ｍ１の内で、第１水平隔壁ＨＲ１と第１垂直隔壁ＶＲ１との上記連結部分の直上に位置する上記電極部分に対して第３書込み電極Ｗｊ（Ｃ）側に隣接する部分から、垂直方向ｖに平行に延在していると共に、矩形状の横断面形状を有している。換言すれば、第１及び第２透明電極Ｔ１、Ｔ２は、その間に第１書込み電極Ｗｊ（Ｂ）を立体的に挟み込む様に、互いに対面しつつ、同一距離だけ、第１金属補助電極Ｍ１から突出している（同一形状・同一寸法）。しかも、第１及び第２透明電極Ｔ１、Ｔ２は、それぞれ、第２書込み電極Ｗｊ（Ａ）の突出部ＷＡＰの直上及び第３書込み電極Ｗｊ（Ｃ）の突出部ＷＣＰの直上に、位置している。
更に、維持電極１０５は、第５透明電極Ｔ５を有する。同電極Ｔ５は、孤立サブピクセル領域ＩＳＰＲ内に位置する。そして、同電極Ｔ５は、第１金属補助電極Ｍ１の内で、少なくとも、第１書込み電極Ｗｊ（Ｂ）との立体交差電極部分に隣接し且つ第３書込み電極Ｗｊ（Ｃ）側に位置する電極部分から、第１書込み電極Ｗｊ（Ｂ）に平行に、第２走査電極１０４２側に向けて突出している。ここでは、第５透明電極Ｔ５は、第１金属補助電極Ｍ１の内で、第１書込み電極Ｗｊ（Ｂ）との上記立体交差電極部分、当該立体交差電極部分に隣接し且つ第２書込み電極Ｗｊ（Ａ）側に位置する部分、及び当該立体交差電極部分に隣接し且つ第３書込み電極Ｗｊ（Ｃ）側に位置する部分から、突出しており、同電極Ｔ５の垂直方向中心軸は、同電極Ｔ５を表示面側から眺めた場合には、第１書込み電極Ｗｊ（Ｂ）の垂直方向中心軸と一致する。
これに対して、第１走査電極（Ｘｉ＋１電極）１０４１及び第２走査電極（Ｘｉ電極）１０４２が、維持電極１０５を挟んで水平方向ｈに平行に延在する様に、且つ、第１、第２及び第３書込み電極Ｗｊ（Ｂ）、Ｗｊ（Ａ）、Ｗｊ（Ｃ）と立体交差する様に、前面基板ＦＳの内側表面ＦＳＩＳ上に形成されている。維持電極１０５と同様に、両走査電極１０４１、１０４２は、共に、金属補助電極と、同補助電極から突出する複数の透明電極とから成る。ここでも、水平方向ｈに平行に延在し且つ金属補助電極と同一の幅を有する水平方向透明電極（図示せず）を内側表面ＦＳＩＳ上に形成した上で、その上に金属補助電極を重ねる様に形成するのが望ましいと言えるが、必ずしもその様にする必要性はない。例えば、後述する垂直方向ｖに突出する各透明電極のみを内側表面ＦＳＩＳ上に形成しておき、各透明電極との連結部分においては当該透明電極の上に金属補助電極の一部分を形成し（金属補助電極が当該透明電極を乗り越える様に形成する）、金属補助電極のその他の部分を内側表面ＦＳＩＳ上に直接に形成しても良い。以下、両走査電極１０４１、１０４２の各々について、図２及び図４を参照しつつ、詳述する。
尚、第２ピクセルＰ２においては、走査電極１０４１が「第２走査電極」に該当し、走査電極１０４２が「第１走査電極」に該当する。
先ず、第１走査電極１０４１は、第２水平隔壁ＨＲ２の直上に位置し且つ水平方向ｈに平行に延在する第２金属補助電極Ｍ２を有する。この第２金属補助電極Ｍ２の水平方向中心軸（図４中、一点鎖線で描かれたものに相当）と後述する第３金属補助電極Ｍ３の水平方向中心軸（図４中、一点鎖線で描かれたものに相当）との間隔はピッチｐであり、又、第２金属補助電極Ｍ２の水平方向中心軸と第１金属補助電極Ｍ１の水平方向中心軸との間隔はピッチｐ／２である。
更に、第１走査電極１０４１は、第１ペアサブピクセルＰＳＰＲ１領域内に位置している第３透明電極Ｔ３を有する。同電極Ｔ３は、第２金属補助電極Ｍ２の内で、第２水平隔壁ＨＲ２と第１垂直隔壁ＶＲ１との連結部分の直上に位置する電極部分と、第２水平隔壁ＨＲ２と第２垂直隔壁ＶＲ２との連結部分の直上に位置する電極部分との間に位置する部分（第２書込み電極Ｗｊ（Ａ）側に寄った部分）から、維持電極１０５の第１金属補助電極Ｍ１に向けて突出している。即ち、第３透明電極Ｔ３は、第２金属補助電極Ｍ２の内で、第２水平隔壁ＨＲ２と第２垂直隔壁ＶＲ２との上記連結部分の直上に位置する上記電極部分に対して第１書込み電極Ｗｊ（Ｂ）側に隣接する部分から、第１ギャップｇ１だけ離れた第１透明電極Ｔ１の側面と対向しつつ、垂直方向ｖに平行に延在している。そして、同電極Ｔ３は、矩形状の横断面形状を有しており、且つ、第１透明電極Ｔ１と同一形状及び同一寸法を有する。加えて、同電極Ｔ３は、第２書込み電極Ｗｊ（Ａ）の突出部ＷＡＰの直上に位置している。
更に、第１走査電極１０４１は、第２ペアサブピクセルＰＳＰＲ２領域内に位置している第４透明電極Ｔ４を有する。同電極Ｔ４は、第２金属補助電極Ｍ２の内で、第２水平隔壁ＨＲ２と第１垂直隔壁ＶＲ１との上記連結部分の直上に位置する上記電極部分と、第２水平隔壁ＨＲ２と第３垂直隔壁ＶＲ３との連結部分の直上に位置する電極部分との間に位置する部分（第３書込み電極Ｗｊ（Ｃ）側に寄った部分）から、維持電極１０５の第１金属補助電極Ｍ１に向けて突出している。即ち、第４透明電極Ｔ４は、第２金属補助電極Ｍ２の内で、第２水平隔壁ＨＲ２と第３垂直隔壁ＶＲ３との上記連結部分の直上に位置する上記電極部分に対して第１書込み電極Ｗｊ（Ｂ）側に隣接する部分から、上記第１ギャップｇ１だけ離れた第２透明電極Ｔ２の側面と対向しつつ、垂直方向ｖに平行に延在している。しかも、同電極Ｔ４は、矩形状の横断面形状を有しており、第２及び第３透明電極Ｔ２、Ｔ３と同一形状及び同一寸法を有する。従って、第１透明電極Ｔ１、第２透明電極Ｔ２、第３透明電極Ｔ３及び第４透明電極Ｔ４は、互いに、同一形状及び同一寸法を有している。加えて、同電極Ｔ３は、第３書込み電極Ｗｊ（Ｃ）の突出部ＷＣＰの直上に位置している。
そして、第１透明電極Ｔ１及び第３透明電極Ｔ３の組合せと、第２透明電極Ｔ２及び第４透明電極Ｔ４の組合せとは、第１書込み電極Ｗｊ（Ｂ）の垂直方向中心軸に関して、線対称の関係にある。
ここで、本実施の形態における中核的構造は、次の点にあると言える。即ち、第３透明電極Ｔ３は、第２書込み電極Ｗｊ（Ａ）の直上に位置しており、しかも、第３透明電極Ｔ３の垂直方向中心軸ＶＣＡＴ３は、第１ペアサブピクセル領域ＰＳＰＲ１の垂直方向中心軸ＣＡ１から見て、第２垂直隔壁ＶＲ２側に、ないしは、第２書込み電極Ｗｊ（Ａ）の延在部ＷＡＥ寄りに偏在している。同様に、第４透明電極Ｔ４は、第３書込み電極Ｗｊ（Ｃ）の直上に位置しており、しかも、第４透明電極Ｔ４の垂直方向中心軸ＶＣＡＴ４は、第２ペアサブピクセル領域ＰＳＰＲ２の垂直方向中心軸ＣＡ２から見て、第３垂直隔壁ＶＲ３側に、ないしは、第３書込み電極Ｗｊ（Ｃ）の延在部ＷＣＥ寄りに偏在している。
他方、第２走査電極１０４２は、第３水平隔壁ＨＲ３の直上に位置し、且つ、水平方向ｈに延在する第３金属補助電極Ｍ３を有する。この補助電極Ｍ３の水平方向中心軸（図４中、一点鎖線で描かれたものに相当）と、第１金属補助電極Ｍ１の水平方向中心軸との間隔もまた、ピッチｐの半分である。
更に、第２走査電極１０４２は、孤立サブピクセル領域ＩＳＰＲ内に位置する第６透明電極Ｔ６を有する。この第６透明電極Ｔ６は、第３金属補助電極Ｍ３の内で、少なくとも、第１書込み電極Ｗｊ（Ｂ）と立体交差する電極部分に隣接し且つ第２書込み電極Ｗｊ（Ａ）側に位置する部分から、第１書込み電極Ｗｊ（Ｂ）に平行に維持電極１０５の第１金属補助電極Ｍ１に向けて突出している。ここでは、同電極Ｔ６は、第３金属補助電極Ｍ３の内で、第１書込み電極Ｗｊ（Ｂ）と立体交差する上記電極部分、当該立体交差電極部分に隣接し且つ第２書込み電極Ｗｊ（Ａ）側に位置する部分、及び、当該立体交差電極部分に隣接し且つ第３書込み電極Ｗｊ（Ｃ）側に位置する部分から、第５透明電極Ｔ５に対面する様に突出している。即ち、第６透明電極Ｔ６の先端部は、第２ギャップｇ２（所定の間隔）を以って、第５透明電極Ｔ５の先端部に対向している。そして、第５透明電極Ｔ５及び第６透明電極Ｔ６は、共に、同一形状及び同一寸法を有しており、且つ、第１書込み電極Ｗｊ（Ｂ）の垂直方向中心軸に関して線対称な横断面形状を有する。
又、誘電体層ＤＬが、前面基板ＦＳの内側表面ＦＳＩＳ上に形成されている。この誘電体層ＤＬは、維持電極１０５、第１走査電極１０４１及び第２走査電極１０４２を、各電極の取出し端子部（図示せず）を除いて、被覆している。しかも、誘電体層ＤＬは、第１水平隔壁ＨＲ１、第２水平隔壁ＨＲ２、第３水平隔壁ＨＲ３、第１垂直隔壁ＶＲ１、第２垂直隔壁ＶＲ２、第３垂直隔壁ＶＲ３、第４垂直隔壁ＶＲ４及び第５垂直隔壁ＶＲ５のそれぞれの頂部と接触する表面ＤＬＳを有する。
以上の通り、本実施の形態のＰＤＰでは、第１及び第２ペアサブピクセル領域ＰＳＰＲ１、ＰＳＰＲ２内における第１−第４透明電極Ｔ１−Ｔ４の配置関係に、その特徴点がある。この点を、整理する観点から、再度述べれば、次の通りである。即ち、図５に示される様に、透明電極部Ｔ３と透明電極部Ｔ４とは、それぞれのペアサブピクセル内で、第１書込み電極Ｗｊ（Ｂ）から、セル内で最も離れた場所に配置されている。他方、透明電極部Ｔ１と透明電極部Ｔ２とは、それぞれのサブピクセル内で、第１書込み電極Ｗｊ（Ｂ）Ｗ（ｂ）に近い場所に配置されている。この様な構造を設定するために、図４に示される様に、透明電極部Ｔ３と透明電極部Ｔ１とは、第１ペアサブピクセルＰＳＰ１の垂直方向中心軸ＣＡ１に関して、互いに対向する位置関係を有している。同様に、透明電極部Ｔ４及び透明電極部Ｔ２も、第２ペアサブピクセルＰＳＰ２の垂直方向中心軸ＣＡ２に関して、互いに対向する位置関係を有している。つまり、孤立サブピクセルＩＳＰにおいては、Ｘ透明電極部Ｔ６及びＹ透明電極部Ｔ５が、孤立サブピクセルＩＳＰの水平方向中心軸に関して、互いに対向し合う様に、配置されているが、各ペアサブピクセルＰＳＰ１、ＰＳＰ２においては、Ｘ電極の透明電極部及びＹ電極の透明電極部は、対応するペアサブピクセルの垂直方向中心軸ＣＡ１、ＣＡ２に関して、互いに対向し合う様に、配置されている。
＜構造上の変形例＞
以下、Ｗ電極の形状の変形例について、図９を参照しつつ、記載する。
（１）  図４では、孤立サブピクセルＩＳＰを選択するための第１書込み電極Ｗｊ（Ｂ）は、表示面ＦＳＯＳ（図５）側から本パネルを眺めた際には、孤立サブピクセル領域ＩＳＰＲ内のＸ電極用透明電極部Ｔ６及びＹ電極用透明電極部Ｔ５の垂直方向中心軸と重なる垂直方向中心軸ＣＡを有し、且つ、その横断面形状は長方形である。
これに代えて、孤立サブピクセル領域ＩＳＰＲ内のＸ電極用透明電極部Ｔ６と第１書込み電極Ｗｊ（Ｂ）との書込み対向放電をより一層起こり易くするために、図９に示す様に、第１書込み電極Ｗｊ（Ｂ）が、第６透明電極Ｔ６の直下に当る部分から、水平方向ｈに広がった形状を有する様にしても良い。
即ち、本変形例１では、第１書込み電極Ｗｊ（Ｂ）は、（Ｉ）垂直方向ｖに平行に延在すると共に、矩形状の横断面形状を有する延在部ＷＢＥと、（ＩＩ）延在部ＷＢＥの内で孤立サブピクセル領域ＩＳＰＲ内に位置し且つ第６透明電極Ｔ６の直下に位置する部分から、第６透明電極Ｔ６の側面の直下部分へ向けて、水平方向ｈに沿って突出する突出部ＷＢＰとを備える。
（２）  図４では、ペアサブピクセルＰＳＰ１、ＰＳＰ２を選択するための第２及び第３書込み電極Ｗｊ（Ａ）、Ｗｊ（Ｃ）における、幹となる延在部ＷＡＥ、ＷＣＥは、第１書込み電極Ｗｊ（Ｂ）から、水平方向ｈに等ピッチｄで配置されている。そして、図４では、ペアサブピクセルにおける書込み放電を起こし易くするために、枝部分の突出部ＷＡＰ、ＷＣＰが、それぞれ、Ｙ電極用透明電極部Ｔ１、Ｔ２の直下にまで伸びている。
しかしながら、例えば無効電力を低減させる目的を重視する場合には、図９に示す様に、枝部分の電極部ＷＡＰ、ＷＣＰの突出長さを、それぞれ、延在部からＸ電極用透明電極部Ｔ３、Ｔ４の直下位置迄の長さに限定しても良い。
＜本パネルの駆動方法＞
次に、本ＰＤＰの駆動方法を記載する。但し、本実施の形態の特徴点はそのパネル構造にあり、そこで用いられる駆動方法としては、基本的に、従来の駆動方式を採用出来る。従って、駆動方法については、各電極の役割を明確にするという程度で、簡単に記載することに留める。
サブフィールド階調法においては、１画面内における全セルの発光及び非発光の制御を行う最小の時間単位は、「サブフィールド」と呼ばれる。このサブフィールドは、更に、「リセット期間」、「書き込み期間」及び「維持放電期間」の３つの期間に分けられる。
先ず、「リセット期間」では、直前のサブフィールドにおける放電履歴のリセットを行う。即ち、直前のサブフィールドにおいて、誘電体層ＤＬの表面ＤＬＳの内でＸ電極及びＹ電極の直上に位置する部分上に蓄積された「壁電荷」を、電圧印加により、キャンセルする。
次の「書き込み期間」では、その後に続く「維持放電期間」において維持放電（表示放電）を発生させたいセルに対してのみ、壁電荷を与える。即ち、線順位走査によってＸ電極に順次に負のパルス電圧を印加し、そのパルス電圧のタイミングに応じて、画像データに基づき生成される正のパルス電圧をＷ電極に印加する。これにより、所望のセルのＸ電極とＷ電極との間に、「書き込み対向放電」を発生させる。又、書込み期間中は、Ｙ電極にも、常時、正の電圧が印可されている。この場合のＹ電極への印可電圧は、Ｘ電極とＷ電極との間の「書き込み対向放電」がトリガ放電として作用することによりＸ電極とＹ電極との間に放電が引き起こされる場合を除いては、単独ではＸ電極とＹ電極との間に放電が起り得ない様な値に、予め設定されている。そのため、Ｘ電極とＷ電極との間で「書き込み対向放電」が起きると、この放電をトリガとして、対を成すＸ電極とＹ電極との間で、放電が起こる。この放電を「書き込み面放電」と呼び、「書き込み対向放電」と「書き込み面放電」とを合せて成る放電を、「書き込み放電」と呼ぶ。この「書き込み放電」によって、Ｘ電極直上の誘電体層表面上に正の壁電荷が蓄積され、他方、Ｙ電極直上の誘電体層表面上には負の壁電荷が蓄積される。
次の「維持放電期間」においては、Ｘ電極及びＹ電極間に、交互に、外部からパルス状の電圧が印加される。そして、外部印加電圧と、「書き込み期間」においてＸ電極上及びＹ電極上に蓄積された「壁電荷」により生成される電圧とを重畳して成る電圧が、放電開始電圧以上になると、維持放電が発生する。この維持放電により生じる紫外線が蛍光体層ＦＬ１−ＦＬ３を励起し、紫外線は可視光線に変換されて、各蛍光体層ＦＬ１−ＦＬ３に対応した色の可視光が発せられる。
＜本パネルの作用・効果＞
本パネルの作用・効果を記載するに先だって、比較例として、既述した未公開技術（ｎｏ  ｐｒｉｏｒ  ａｒｔ）における作用について、考察を加えることにする。
ここで、図１０は、未公開技術（ｎｏ  ｐｒｉｏｒ  ａｒｔ）における問題点を示すための孤立サブピクセルＢの縦断面図である。又、図１１は、当該未公開技術（ｎｏ  ｐｒｉｏｒ  ａｒｔ）における問題点を示すための第１及び第２ペアサブピクセルＡ、Ｃの縦断面図である。
例えば、サブピクセル内で対向しているＸ電極とＷ電極間の放電開始電圧が２００Ｖであると仮定する。そして、Ｘ電極に印加するスキャンパルスの電圧Ｖｘａをパラメータとして、Ｗ電極に印加するデータパルスの電圧Ｖｗａが５０Ｖであるとすると、書込み放電が起こる最小の電圧Ｖｘａは−１５０Ｖである。
両図１０、１１から理解される通り、同一サブピクセル内で対向している電極間距離は、異なるサブピクセル間で対向している電極間距離よりも小さいため、異なるサブピクセル間で対向している両電極に印加される電圧に起因して生じ得る放電の開始電圧は、同一サブピクセル内で対向している電極間で生じ得る放電の開始電圧よりも高くなる。例えば、電極Ｘ（Ｂ）と電極Ｗｊ（Ａ）間の放電開始電圧、及び、電極Ｘ（Ｂ）と電極Ｗｊ（Ｃ）間の放電開始電圧が、共に２５０Ｖであるとする。このとき、サブピクセルＡ、Ｃを選択し、且つ、サブピクセルＢを選択しない場合には、電圧Ｖｗａ＝５０Ｖであれば、電極Ｘ（Ｂ）と電極Ｗｊ（Ａ）間、及び、電極Ｘ（Ｂ）と電極Ｗｊ（Ｃ）間で誤放電が起きるときの最小の電圧Ｖｘａは−２００Ｖである。この場合、電圧Ｖｘａのマージンは、−１５０Ｖから−２００Ｖまでの電圧範囲に当る５０Ｖとなる。
これに対して、サブピクセルＡ、Ｃを非選択とし、且つ、サブピクセルＢを選択した場合には、Ｘ（Ａ）−Ｗｊ（Ｂ）電極間距離とＸ（Ｃ）−Ｗｊ（Ｂ）電極間距離とが、Ｘ（Ｂ）−Ｗｊ（Ａ）電極間距離及びＸ（Ｂ）−Ｗｊ（Ｃ）電極間距離と同じであるならば、Ｘ（Ａ）−Ｗｊ（Ｂ）電極間、及び、Ｘ（Ｃ）−Ｗｊ（Ｂ）電極間で、誤放電が起きるときの最小の電圧Ｖｘａは−２００Ｖであり、電圧マージンも５０Ｖである。
しかしながら、当該先行未公開技術に係る二等辺デルタ配列型ＡＣ面放電型ＰＤＰでは、Ｘ（Ａ）−Ｗｊ（Ｂ）電極間距離、及び、Ｘ（Ｃ）−Ｗｊ（Ｂ）電極間距離は、Ｘ（Ｂ）−Ｗｊ（Ａ）電極間距離、及び、Ｘ（Ｂ）−Ｗｊ（Ｃ）電極間距離と比較して、小さい。そのため、サブピクセルＡ、Ｃを非選択とし、サブピクセルＢを選択した場合には、Ｘ（Ａ）−Ｗｊ（Ｂ）電極間、及び、Ｘ（Ｃ）−Ｗｊ（Ｂ）電極間で誤放電が起きるときの最小の電圧Ｖｘａは−２００Ｖよりも低くなり、書込み電圧マージンは５０Ｖよりも小さくなってしまうと言う問題点が顕出する。書込み放電における放電開始電圧は経時的に変化するため、書込み電圧のマージンは広い程良いのである。
これに対して、本実施の形態では、その様な問題点は生じない。即ち、放電経路の距離を模式的に示す図５を参照すれば明らかな通り、Ｘ電極用透明電極部Ｔ３と第１書込み電極Ｗｊ（Ｂ）との電極間の電界及びＸ電極用透明電極部Ｔ４と第１書込み電極Ｗｊ（Ｂ）との電極間の電界は、両透明電極Ｔ３、Ｔ４が第１書込み電極Ｗｊ（Ｂ）から距離的により一層離れた分だけ、図１０及び図１１に示す先行未公開技術（ｎｏ  ｐｒｉｏｒ  ａｒｔ）の場合と比較して、弱められる。そのため、第１ペアサブピクセルＡ及び第２ペアサブピクセルＣにおいて、第１書込み電極Ｗｊ（Ｂ）の印加電圧に起因して生じ得る誤放電の開始電圧を上昇させることが出来、その結果、書込み電圧のマージンを拡大することが出来る。
他方、書込み期間においてＹ電極１０５には第１書込み電極Ｗｊ（Ｂ）と同様に正の電位が印加されているので、Ｙ電極用透明電極部Ｔ１及びＹ電極用透明電極部Ｔ２と、第１書込み電極Ｗｊ（Ｂ）との電位差は、小さい。そのため、第１書込み電極Ｗｊ（Ｂ）と第１及び第２透明電極Ｔ１、Ｔ２とが接近していても、書き込み期間においては、第１書込み電極Ｗｊ（Ｂ）とＹ電極１０５との間で、誤書き込み放電が発生することはない。
（実施の形態２）
＜着眼点＞
実施の形態１では、孤立サブピクセル領域におけるＸ電極、Ｙ電極、及びＷ電極の形状と、両ペアサブピクセル領域におけるＸ電極、Ｙ電極、及びＷ電極の形状とは、互いに相違している。しかしながら、各サブピクセル間で電極形状が異なる場合には、各サブピクセル間で電圧マージンが異なることとなり、各サブピクセルにおけるマージンの重なり部分である全体のマージンは、全てのサブピクセルにおいて電極形状が互いに同じである場合と比較して、小さくならざるを得ない。実施の形態２の目的は、この問題点を解決することにある。
＜構成＞
図１２は、本実施の形態に係る、二等辺デルタ配列型ピクセルを有するＡＣ駆動面放電反射型ＰＤＰの構成を模式的に示す透視平面図であり、実施の形態１の図４に対応するものである。従って、図１２中、図４と同一の構成要素については、同一の参照記号を付している。本実施の形態が実施の形態１と相違する点は、孤立サブピクセル領域ＩＳＰＲ内における、第５及び第６透明電極の形状・寸法と第１書込み電極の形状とにある。以下、図１２を参照しつつ、この特徴点についてのみ記載することにし、実施の形態１と共通する構成要素の記載に関しては、実施の形態１中の対応する記載を援用することとする。
図１２に示す様に、第１書込み電極Ｗｊ（Ｂ）は、（１）垂直方向ｖに平行に延在すると共に、矩形状の横断面形状を有する延在部ＷＢＥと、（２）延在部ＷＢＥの内で孤立サブピクセル領域ＩＳＰＲ内に位置する部分ＷＢＥＩから、少なくとも第２書込み電極Ｗｊ（Ａ）側へ向けて、水平方向ｈに沿って突出する突出部ＷＢＰとを備える。この例では、突出部ＷＢＰは、第２書込み電極Ｗｊ（Ａ）側のみならず、第３書込み電極Ｗｊ（Ｃ）側にも等距離だけ、突出している。この様に、孤立サブピクセル領域ＩＳＰＲの第１書込み電極Ｗｊ（Ｂ）は、同電極Ｗｊ（Ｂ）と孤立サブピクセル領域ＩＳＰＲ内のＸ電極用透明電極部Ｔ６Ａとの電極間距離が最小になる様に突き出した部分ＷＢＰを有する。
又、第１ピクセルＰ１における第５透明電極Ｔ５Ａは、第１金属補助電極Ｍ１の内で、第１書込み電極Ｗｊ（Ｂ）と立体交差する上記電極部分に隣接し且つ第２書込み電極及び第３書込み電極の一方側（ここでは、第３書込み電極Ｗｊ（Ｃ）側）に位置する部分から、垂直方向ｖに平行に突出すると共に、矩形状の横断面形状を有している。尚、第２ピクセルＰ２における第５透明電極Ｔ５Ａは、上記立体交差電極部分に隣接し且つ第２書込み電極Ｗｊ＋１（Ａ）側に位置する部分から、突出している。
これに対して、第６透明電極Ｔ６Ａは、第３金属補助電極Ｍ３の内で、第１書込み電極Ｗｊ（Ｂ）と立体交差する上記電極部分に隣接し且つ第２書込み電極及び前記第３書込み電極の他方側（ここでは、第２書込み電極Ｗｊ（Ａ）側）に位置する部分から、延在部ＷＢＥＩを挟み込む様に第５透明電極Ｔ５Ａの側面と対向しつつ、垂直方向ｖに平行に突出すると共に、矩形状の横断面形状を有している。尚、第２ピクセルＰ２における第６透明電極Ｔ６Ａは、上記立体交差電極部分に隣接し且つ第３書込み電極Ｗｊ＋１（Ｃ）側に位置する部分から、突出している。
そして、第５透明電極Ｔ５Ａ及び第６透明電極Ｔ６Ａは、共に、第１透明電極Ｔ１と同一形状及び同一寸法を有する。従って、本実施の形態では、全ての透明電極Ｔ１、Ｔ２、Ｔ３、Ｔ４、Ｔ５Ａ、Ｔ６Ａが、互いに、同一形状及び同一寸法を有するわけである。
＜作用・効果＞
以上の様に、孤立サブピクセル及び両ペアサブピクセルは共に同様な形状・寸法の電極を有しているので、各サブピクセル間での書込み電圧のマージンにずれが無くなり、その結果、全体の書込み電圧のマージンを実施の形態１よりも大きくすることが出来る。
（実施の形態３）
＜構成＞
図１３は、実施の形態３に係るＡＣ駆動面放電反射型ＰＤＰの構造を表示面側から眺めたときの透視平面図であり、実施の形態１の図４に対応するものである。但し、図１３においては、隔壁群も共に透視的に図示されている。又、図１３においては、平面図を見易くすると言う観点から、各部材の重なり順序が、実施の形態１の図１に示されるものとは異なっているが、実施の形態３における実際の部材の上下関係は、実施の形態１のそれと同じである。
本実施の形態の動作原理は基本的には実施の形態１のそれと同じであるが、両形態の構造上の相違点は、第１透明電極及び第３透明電極の形状及び配置、第２透明電極及び第４透明電極の形状及び配置、第２垂直隔壁、第３垂直隔壁、第４垂直隔壁、及び第５垂直隔壁の配置、並びに、第２書込み電極及び第３書込み電極の形状にある。以下、図１３に基づき、相違点を中心に、本実施の形態における構造上の特徴点を記載する。尚、実施の形態１と共通する構成要素については、実施の形態１で用いた参照記号をここでも援用する。
先ず、第１隔壁ＶＲ１の垂直方向中心軸と第２隔壁ＶＲ２の垂直方向中心軸との間隔ｄＡは、図４に示す間隔ｄよりも大きくなっている。即ち、図４では、第２隔壁ＶＲ２は第２書込み電極Ｗｊ（Ａ）の直上に位置しているが（両部材の垂直方向中心軸も一致している）、図１３では、第２書込み電極Ｗｊ（Ａ）が両隔壁ＶＲ１、ＶＲ２間に位置する様に、間隔ｄＡが設定されている。
同様に、第１隔壁ＶＲ１の垂直方向中心軸と第３隔壁ＶＲ３の垂直方向中心軸との間隔ｄＡもまた、図４に示す間隔ｄよりも大きくなっている。即ち、図４では、第３隔壁ＶＲ３は第３書込み電極Ｗｊ（Ｃ）の直上に位置しているが（両部材の垂直方向中心軸も一致している）、図１３では、第３書込み電極Ｗｊ（Ｃ）が両隔壁ＶＲ１、ＶＲ３間に位置する様に、間隔ｄＡが設定されている。
同じく、第４隔壁ＶＲ４の垂直方向中心軸と第５隔壁ＶＲ５の垂直方向中心軸との間隔ｄＡもまた、図４における対応する間隔ｄよりも大きくなっている。即ち、第１書込み電極Ｗｊ（Ｂ）の垂直方向中心軸が両隔壁ＶＲ４、ＶＲ５間の中心に位置する様に、間隔ｄＡが設定されている。
そして、第２書込み電極Ｗｊ（Ａ）は、垂直方向ｖに平行に延在し且つ矩形状の横断面形状を有する延在部のみから成る。しかも、第２書込み電極Ｗｊ（Ａ）の延在部の内で第１ペアサブピクセル領域ＰＳＰＲ１内に位置する部分は、第１垂直隔壁ＶＲ１の第１対向側面ＳＳ１と第２垂直隔壁ＶＲ２の対向側面との間に位置し、且つ、第２垂直隔壁ＶＲ２の上記対向側面寄りに位置している。
同様に、第３書込み電極Ｗｊ（Ｃ）は、垂直方向ｖに平行に延在し且つ矩形状の横断面形状を有する延在部のみから成る。しかも、第３書込み電極Ｗｊ（Ｃ）の延在部の内で第２ペアサブピクセル領域ＰＳＰＲ２内に位置する部分は、第１対向側面ＳＳ１とは反対側の第１垂直隔壁ＶＲ１の第２対向側面ＳＳ２と第３垂直隔壁ＶＲ３の対向側面との間に位置し、且つ、第３垂直隔壁ＶＲ３の上記対向側面寄りに位置している。
これに対して、第１透明電極Ｔ１Ｂ及び第３透明電極Ｔ３Ｂは、共に、第２書込み電極Ｗｊ（Ａ）の上記延在部の内で第１ペアサブピクセル領域ＰＳＰＲ１内に位置する上記部分の直上に位置しており、しかも、矩形状の横断面形状を有している。そして、第１透明電極Ｔ１Ｂの先端部は、所定の間隔ｇを隔てて、第３透明電極Ｔ３Ｂの先端部と対向しており、両部Ｔ１Ｂ、Ｔ３Ｂの形状・寸法は互いに同一である。
同様に、第２透明電極Ｔ２Ｂ及び第４透明電極Ｔ４Ｂは、共に、第３書込み電極Ｗｊ（Ｃ）の上記延在部の内で第２ペアサブピクセルＰＳＰＲ２領域内に位置する上記部分の直上に位置しており、しかも、矩形状の横断面形状を有している。そして、第２透明電極Ｔ２Ｂの先端部は、所定の間隔ｇを隔てて、第４透明電極Ｔ４Ｂの先端部と対向しており、両部Ｔ２Ｂ、Ｔ４Ｂの形状・寸法は互いに同一である。しかも、第１透明電極Ｔ１Ｂ、第２透明電極Ｔ２Ｂ、第３透明電極Ｔ３Ｂ及び第４透明電極Ｔ４Ｂは、互いに、同一形状及び同一寸法を有する。
又、孤立サブピクセル領域ＩＳＰＲの構成に目を向けると、第５透明電極Ｔ５は、第１金属補助電極Ｍ１の内で、第１書込み電極Ｗｊ（Ｂ）との上記立体交差電極部分、当該立体交差電極部分に隣接し且つ第２書込み電極Ｗｊ（Ａ）側に位置する部分、及び当該立体交差電極部分に隣接し且つ第３書込み電極Ｗｊ（Ｃ）側に位置する部分から、垂直方向ｖに突出している。又、第６透明電極Ｔ６は、第３金属補助電極Ｍ３の内で、第１書込み電極Ｗｊ（Ｂ）との上記立体交差電極部分、当該立体交差電極部分に隣接し且つ第２書込み電極Ｗｊ（Ａ）側に位置する部分及び当該立体交差電極部分に隣接し且つ第３書込み電極Ｗｊ（Ｃ）側に位置する部分から、垂直方向ｖに突出している。そして、第６透明電極Ｔ６の先端部は、所定の間隔ｇを隔てて、第５透明電極Ｔ５の先端部に対向しており、第５透明電極Ｔ５及び第６透明電極Ｔ６は、共に、第１透明電極Ｔ１Ｂと同一形状及び同一寸法を有する。従って、全ての透明電極Ｔ１Ｂ、Ｔ２Ｂ、Ｔ３Ｂ、Ｔ４Ｂ、Ｔ５、Ｔ６は、同一形状及び同一寸法を有する。
そして、図１３においても、第１及び第３透明電極Ｔ１Ｂ、Ｔ３Ｂの垂直方向中心軸ＶＣＡＴ３は、第１ペアサブピクセル領域ＰＳＰＲ１の垂直方向中心軸ＣＡ１から見て、第２垂直隔壁ＶＲ２側に偏在している。従って、第３透明電極Ｔ３Ｂは、第１書込み電極Ｗｊ（Ｂ）から最も離れた箇所に配設されているのである。
同様に、第２及び第４透明電極Ｔ２Ｂ、Ｔ４Ｂの垂直方向中心軸ＶＣＡＴ４は、第２ペアサブピクセル領域ＰＳＰＲ２の垂直方向中心軸ＣＡ２から見て、第３垂直隔壁ＶＲ３側に偏在している。従って、第４透明電極Ｔ４Ｂもまた、第１書込み電極Ｗｊ（Ｂ）から最も離れた反対側の箇所に配設されているのである。
これに対して、第５及び第６透明電極Ｔ５、Ｔ６の垂直方向中心軸は、表示面ＦＳＯＳ側から本ＰＤＰを眺めたときには、孤立サブピクセル領域ＩＳＰＲないしは第１書込み電極Ｗｊ（Ｂ）の垂直方向中心軸ＣＡと一致する。
以上の様に、実施の形態３では、孤立サブピクセル領域ＩＳＰＲ内のＸ電極用透明電極部Ｔ６及びＹ電極用透明電極部Ｔ５の電極構造と、両ペアサブピクセル領域ＰＳＰＲ１、ＰＳＰＲ２内のＸ電極用透明電極部Ｔ３Ｂ、Ｙ電極用透明電極部Ｔ１Ｂ、Ｘ電極用透明電極部Ｔ４Ｂ、及びＹ電極用透明電極部Ｔ２Ｂの電極構造とは、形状及び寸法において、同じになっている。加えて、各書込み電極Ｗｊ（Ａ）、Ｗｊ（Ｂ）、Ｗｊ（Ｃ）は、突出部分を有しておらず、その横断面形状は単純な長方形である。そして、孤立サブピクセルにおいては、４個のリブで構成される孤立サブピクセル領域ＩＳＰＲの垂直方向中心軸ＣＡと、両透明電極部Ｔ５、Ｔ６及び第１書込み電極Ｗｊ（Ｂ）の垂直方向中心軸とが一致している。他方、両ペアサブピクセルでは、その一方の第１サブピクセル領域ＰＳＰＲ１の垂直方向中心軸ＣＡ１と、両透明電極部Ｔ３Ｂ、Ｔ１Ｂ及び第２書込み電極Ｗｊ（Ａ）の垂直方向中心軸とは一致せず、両透明電極部Ｔ３Ｂ、Ｔ１Ｂは、孤立サブピクセル内の第１書込み電極Ｗｊ（Ｂ）から離れる様に、配置されている。他方の第２サブピクセル領域ＰＳＰＲ２についても、同様の構造が設けられている。
＜作用・効果＞
以上に記載した様な配置にすることによって、両ペアサブピクセル領域ＰＳＰＲ１、ＰＳＰＲ２においては、Ｘ電極用透明電極部Ｔ３Ｂ、Ｔ４Ｂは、孤立サブピクセル領域内の書込み電極Ｗｊ（Ｂ）からより遠ざかる様に離れて配置されているため、実施の形態１と同様に、誤書込み放電が発生しにくくなる。
加えて、本実施の形態では、全ての透明電極の形状・寸法が同一に設定されているので、実施の形態２と同様に、電圧マージンが狭くなることがなく、全体の書込み電圧のマージンを拡大することが出来る。
尚、図１３では、各書込み電極Ｗは長方形状の延在部のみから成り立っているが、実施の形態１における変形例１に記載した構造と同様に、Ｘ電極との間の書込み放電を起こし易くするために、Ｘ電極の直下にＷ電極の突出部分を設けても良い。
（実施の形態４）
＜着眼点＞
本実施の形態は、実施の形態３（図１３）の基本構造を踏襲しつつ、各透明電極の構造を別の観点から修正するものである。
即ち、実施の形態３（図１３）における各ペアサブピクセルでは、Ｘ電極用透明電極及びＹ電極用透明電極の垂直方向中心軸は、４個のリブで構成されるペアサブピクセル領域の垂直方向中心軸とずれている。ところで、セル内の発光強度は分布を有しており、透明電極上方で発光強度が最も強くなる。そのため、実施の形態３の場合には、ペアサブピクセル内での発光強度分布は、透明電極上方に偏る可能性がある。この様に、発光強度の強い部分が、透明電極側に、つまり、外側に偏ると、色分離を改善すると言う効果が低減されることが懸念される。本実施の形態は、この点を改善するものである。
＜構成＞
図１４は、実施の形態４に係るＡＣ駆動面放電反射型ＰＤＰの構造を表示面側から眺めたときの透視平面図であり、図１３に対応している。本実施の形態の特徴点は各透明電極の構造にあるので、その他の構成要素は実施の形態３と同一である。従って、実施の形態３の構成要素と共通するものの記載については、対応する実施の形態３、１中の記載を援用することにする。
先ず、両ペアサブピクセル領域ＰＳＰＲ１、ＰＳＰＲ２の構成に注目する。図１４に示す様に、第１透明電極Ｔ１Ｃ、第２透明電極Ｔ２Ｃ、第３透明電極Ｔ３Ｃ及び第４透明電極Ｔ４Ｃの各々は、（１）当該透明電極と対応するバス電極との結合部から先端部まで垂直方向ｖに沿って平行に延在する延在部ＴＣＥ１と（上記先端部と対向する透明電極との間隔ｇ）、（２）延在部ＴＣＥ１の上記先端部及びその近傍部分から第１書込み電極Ｗｊ（Ｂ）側に向けて第１突出距離ｄ１だけ水平方向ｈに突出する突出部ＴＣＰ１を備えている。これらの構成部分の内で、実施の形態３と相違する部分は、後者の突出部ＴＣＰ１である。この構成により、本実施の形態における各透明電極Ｔ１Ｃ、Ｔ２Ｃ、Ｔ３Ｃ、Ｔ４Ｃは、Ｌ字型の横断面形状を有する。
他方、孤立サブピクセル領域ＩＳＰＲに目を向けると、第５透明電極Ｔ５Ｃ及び第６透明電極Ｔ６Ｃの各々は、（１）当該透明電極と対応するバス電極との結合部から先端部まで垂直方向ｖに沿って平行に延在する延在部ＴＣＥ２と（上記先端部と対向する透明電極との間隔ｇ）、（２）延在部ＴＣＥ２の上記先端部及びその近傍部分から第２書込み電極Ｗｊ（Ａ）側及び第３書込み電極Ｗｊ（Ｃ）側の双方に向けて第２突出距離ｄ２だけ水平方向ｈに突出する突出部ＴＣＰ２を備えている。これらの構成部分の内で、実施の形態３と相違する部分は、後者の突出部ＴＣＰ２である。この構成により、本実施の形態における第５透明電極Ｔ５Ｃ及び第６透明電極Ｔ６Ｃの各々は、Ｔ字型の横断面形状を有する。
＜作用・効果＞
本実施の形態は、実施の形態３が有する作用・効果を奏する上に、次の様な作用・効果をも奏する。
即ち、各透明電極の抵抗は、当該透明電極に繋がったバス電極のそれと比較してかなり大きい。このため、各透明電極の延在部ＴＣＥ１、ＴＣＥ２に印加される電圧は、バス電極との結合部から先端部までの距離に依存する分布を有する。より詳細には、当該延在部と対応バス電極との結合部（接続部分）には電位がかかりやすいので、この結合部における印加電圧が最も大きくなり、当該結合部から先端部に向かう程に印加電圧は減少し、当該延在部の先端部における印加電圧は、結合部におけるそれと比べて、かなり小さい値となっている。従って、Ｘ電極用透明電極と、その直下の書込み電極Ｗとの間で生じる書き込み放電は、主に、上記結合部及びその近傍で、発生する。そのため、各ペアサブピクセル領域内の透明電極の延在部ＴＣＥ１を、孤立サブピクセル領域の第１書込み電極Ｗｊ（Ｂ）からより遠方に離すことは、誤放電抑制に効果を発揮する。
他方、各透明電極の突出部ＴＣＰ１は、対応バス電極から最も離れているために印加電圧が最小値となっている先端部及びその近傍部分から形成されている。このため、突出部ＴＣＰ１の書込み放電への寄与は低く、寧ろ、突出部ＴＣＰ１、ＴＣＰ２が、Ｘ電極とＹ電極との間の維持放電に対して寄与する度合いは、大きい。そして、両ペアサブピクセル領域及び孤立サブピクセル領域内における各透明電極の突出部ＴＣＰ１、ＴＣＰ２は、同様な配置関係を有している。そのため、維持放電においては、発光分布の偏りが緩和され、サブピクセルの中心と、発光分布の中心とのずれがなくなる。
尚、図１４では、各書込み電極Ｗは長方形状の延在部のみから成り立っているが、実施の形態１における変形例１に記載した構造と同様に、Ｘ電極との間の書込み放電を起こし易くするために、Ｘ電極の直下にＷ電極の突出部分を設けても良い。
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
産業上の利用の可能性
本発明に係るＡＣ駆動面放電反射型ＰＤＰは、業務用大型ディスプレイ装置又はプラズマテレビジョン（ＴＶ）の様な、薄型・軽量・大画面・のフラットディスプレイ装置のパネルとして、利用可能である。
ここで、図１５は、実施の形態１−４の何れかに係るＡＣ駆動面放電反射型ＰＤＰを有する面放電型プラズマディスプレイ装置の構成を模式的に示すブロック図である。図１５に示す様に、プラズマディスプレイ装置は、大別して、（１）ＰＤＰ本体と、（２）外部から入力されるデータ信号に基づいてＰＤＰ本体を駆動するための信号を生成し、当該駆動信号をＰＤＰ本体の既述した各電極に出力するドライバとを、備えている。このドライバは、大要、図１５の、外部信号Ｓを受信する制御回路、Ｗドライバ、Ｘドライバ、Ｙドライバ、及び電源回路より、構成される。
【図面の簡単な説明】
図１は、本発明に係るＡＣ駆動面放電反射型ＰＤＰが有する二等辺デルタ配列型ピクセルの構成を模式的に示す図である。
図２は、実施の形態１に係るＡＣ駆動面放電反射型ＰＤＰの構造を表示面側から眺めたときの透視平面図である。
図３は、表示面側から眺めたときの、書込み電極とリブとの関係を示す透視平面図である。
図４は、表示面側から眺めたときの、書込み電極とＸ電極及びＹ電極との関係を示す透視平面図である。
図５は、第１及び第２ペアサブピクセル領域の構造を示す縦断面図である。
図６は、孤立サブピクセル領域を拡大して示す透視平面図である。
図７及び図８は、孤立サブピクセル領域の構造を示す縦断面図である。
図９は、実施の形態１の変形例に係るＡＣ駆動面放電反射型ＰＤＰの構造を表示面側から眺めたときの透視平面図である。
図１０及び図１１は、比較例として、未公開技術（ｎｏ  ｐｒｉｏｒ  ａｒｔ）における問題点を示す縦断面図である。
図１２は、実施の形態２に係るＡＣ駆動面放電反射型ＰＤＰの構造を表示面側から眺めたときの透視平面図である。
図１３は、実施の形態３に係るＡＣ駆動面放電反射型ＰＤＰの構造を表示面側から眺めたときの透視平面図である。
図１４は、実施の形態４に係るＡＣ駆動面放電反射型ＰＤＰの構造を表示面側から眺めたときの透視平面図である。
図１５は、実施の形態１−４に係るＡＣ駆動面放電反射型ＰＤＰを有するプラズマディスプレイ装置の構成を模式的に示すブロック図である。
【図１】
2003088297.tif 000003
【図２】
2003088297.tif 000004
【図３】
2003088297.tif 000005
【図４】
2003088297.tif 000006
【図５】
2003088297.tif 000007
【図６】
2003088297.tif 000008
【図７】
2003088297.tif 000009
【図８】
2003088297.tif 000010
【図９】
2003088297.tif 000011
【図１０】
2003088297.tif 000012
【図１１】
2003088297.tif 000013
【図１２】
2003088297.tif 000014
【図１３】
2003088297.tif 000015
【図１４】
2003088297.tif 000016
【図１５】
2003088297.tif 000017
【国際調査報告】
2003088297.tif 000018
2003088297.tif 000019
2003088297.tif 000020
2003088297.tif 000021